(57)【要約】【課題】遊技機の設置や配置替え等の各種作業を効率的に行うことができる遊技機を提供する。【解決手段】裏パックユニット１５には、配線用の接続端子３１２が並設された外部端子板３１０と、外部端子板３１０用のホルダ部材３５０と、開状態／閉状態に切替可能な状態で、ホルダ部材３５０に取り付けられているカバー部材３７０とを有する外部端子板ユニット３００が設けられている。接続端子３１２は、配線の先端寄りの中間部分が挿入される配線挿入口をれぞれ有している。カバー部材３７０の覆い部には、各配線の先端寄りの中間部分と係合するスリットが各配線挿入口に対応させて複数設けられ、当該カバー部材３７０はスリットにより各配線を係合した状態のまま開状態から閉状態に切替可能となっている。カバー部材３７０の開状態から閉状態への切替操作に基づいて、係合中の配線の先端部分が配線挿入口へ案内される。【選択図】      図９
2015033466.tif 000002
【特許請求の範囲】
【請求項１】
配線用の接続端子が複数設けられた基板と、
前記基板を保持する基板ホルダと、
第１状態及び当該第１状態よりも前記接続端子に近い第２状態に切替可能な状態で、前記基板ホルダに取り付けられている可動体と
を有する基板ユニットを備え、
前記各接続端子は、前記配線が挿入される配線挿入口をそれぞれ有し、
前記可動体には、前記各配線を個別に保持可能な保持部が前記各配線挿入口に対応させて複数設けられ、当該可動体は前記保持部により各配線を保持した状態のまま前記第１状態から前記第２状態に切替可能となっており、
前記基板ユニットは、前記可動体の前記第１状態から前記第２状態への切替操作に基づいて、前記保持部により保持されている配線の先端部分が前記配線挿入口へ案内されるように構成されていることを特徴とする遊技機。
【請求項２】
前記保持部は、前記接続端子において前記配線挿入口が開口する側に対峙する板状部と、前記板状部の厚さ方向に貫通し、前記第２状態となっている場合に当該板状部において前記配線挿入口の延長上に位置する部分及び当該板状部の周縁に跨るように形成された貫通部とを有し、前記貫通部に挿入された配線と係合することにより当該配線を保持する構成となっており、
前記板状部の周縁に形成された前記保持部の開放部分は、当該開放部分を通じた前記貫通部への前記配線の挿入を許容していることを特徴とする請求項１に記載の遊技機。
【請求項３】
前記貫通部は、前記開放部分よりも奥側の方が前記配線の挿入隙が狭くなるように形成されていることを特徴とする請求項２に記載の遊技機。
【請求項４】
前記配線挿入口を開閉させる開閉体を備え、前記開閉体が開状態から閉状態となることにより、前記配線挿入口に挿入されている配線が当該前記開閉体により挟まれて接続端子に接続された状態となるように構成されており、
前記基板ユニットは、前記配線が接続されている状況下にて前記可動体を前記第２状態から前記第１状態に切り替えた場合に、前記配線の接続状態が維持されるように構成されていることを特徴とする請求項１乃至請求項３のいずれか１つに記載の遊技機。
【請求項５】
前記基板ユニットは、前記保持部にて発生する前記配線の保持力よりも、前記開閉体による当該配線の挟み込み力の方が大きくなるように構成されていることを特徴とする請求項４に記載の遊技機。
【発明の詳細な説明】
【技術分野】
【０００１】
本発明は、遊技機に関するものである。
【背景技術】
【０００２】
パチンコ機等の遊技機は、例えば遊技ホール等の島設備に設置された状態にて遊技ホールの管理コンピュータ（所謂、ホールコンピュータ）と電気的に接続可能に構成されている。例えば、当否抽選にて当り結果となった場合や、各種遊技機器等にて何らかの異常が発生した場合には、その旨を示す信号が遊技機から管理コンピュータに出力される。管理コンピュータでは、遊技機から受信した信号に基づいて上記各種事象が発生した旨を把握することができる（例えば特許文献１参照）。
【０００３】
この種の通信機能を実現する上で、遊技機には信号の種類毎に出力端子が設けられた基板（所謂、外部端子板）が搭載されている。これら各出力端子に、島設備に設けられた配線を接続することにより、上記信号の伝達経路が形成されることとなる。
【先行技術文献】
【特許文献】
【０００４】
【特許文献１】特開２０１１−０１９８１３号公報
【発明の概要】
【発明が解決しようとする課題】
【０００５】
近年では、従来の遊技機と比較して接続端子の数すなわち出力される信号の種類が増加傾向にある。このような事情から、各配線をそれに対応する接続端子にそれぞれ接続しようとした場合の手間についても嵩む傾向にある。これは、遊技機の設置（例えば入替）／配置替え等の各種作業を行う上で作業負荷を増大させる要因となり得る。特に、遊技機の設置台数の多い大型の遊技ホールや遊技機の入れ替え等を頻繁に行う遊技ホールでは、上記不都合が顕著になりやすい。
【０００６】
本発明は、上記例示した事情等に鑑みてなされたものであり、遊技機の設置や配置替え等の各種作業を効率的に行うことができる遊技機を提供することを目的とするものである。
【課題を解決するための手段】
【０００７】
以下、上記課題を解決するための手段について記載する。
【０００８】
請求項１記載の発明は、
配線用の接続端子が複数設けられた基板と、
前記基板を保持する基板ホルダと、
第１状態及び当該第１状態よりも前記接続端子に近い第２状態に切替可能な状態で、前記基板ホルダに取り付けられている可動体と
を有する基板ユニットを備え、
前記各接続端子は、前記配線が挿入される配線挿入口をそれぞれ有し、
前記可動体には、前記各配線を個別に保持可能な保持部が前記各配線挿入口に対応させて複数設けられ、当該可動体は前記保持部により各配線を保持した状態のまま前記第１状態から前記第２状態に切替可能となっており、
前記基板ユニットは、前記可動体の前記第１状態から前記第２状態への切替操作に基づいて、前記保持部により保持されている配線の先端部分が前記配線挿入口へ案内されるように構成されていることを特徴とする。
【発明の効果】
【０００９】
遊技機の設置や配置替え等の各種作業を効率的に行うことができる。
【図面の簡単な説明】
【００１０】
【図１】一実施の形態におけるパチンコ機を示す正面図である。
【図２】パチンコ機を前方から見た斜視図である。
【図３】パチンコ機の主要な構成を展開して示す斜視図である。
【図４】パチンコ機の主要な構成を展開して示す斜視図である。
【図５】内枠の構成を示す正面図である。
【図６】遊技盤の構成を示す正面図である。
【図７】内枠の構成を示す背面図である。
【図８】裏パックユニットを示す正面図である。
【図９】図８における外部端子板ユニット及びその周辺を示す部分拡大図である。
【図１０】（ａ）外部端子板ユニットの取付状態を示す斜視図、（ｂ）外部端子板ユニットの取外状態を示す斜視図である。
【図１１】外部端子板ユニットの正面図である。
【図１２】外部端子板ユニットの分解斜視図である。
【図１３】外部端子板ユニットの分解斜視図である。
【図１４】（ａ）カバー部材を閉じた状態を示す概略図、（ｂ）カバー部材を開いた状態を示す概略図である。
【図１５】図１４（ａ）のＡ−Ａ線部分断面図、（ｂ）図１４（ｂ）のＢ−Ｂ線部分断面図である。
【図１６】外部端子板ユニットへの配線接続作業の流れを示す概略図である。
【図１７】配線の接続の様子を示す概略図である。
【図１８】配線の接続解除の様子を示す概略図である。
【図１９】外部端子板ユニットの変形例を示す概略図である。
【図２０】外部端子板ユニットの変形例を示す概略図である。
【発明を実施するための形態】
【００１１】
以下、遊技機の一種であるパチンコ遊技機（以下、「パチンコ機」という）の一実施の形態を、図面に基づいて詳細に説明する。図１はパチンコ機１０の正面図、図２はパチンコ機１０を正面側から見た斜視図、図３及び図４はパチンコ機１０の主要な構成を展開して示す斜視図である。なお、図３では便宜上パチンコ機１０における遊技領域内の構成を省略している。
【００１２】
図１に示すように、パチンコ機１０は、当該パチンコ機１０の外殻を形成する外枠１１と、この外枠１１に取り付けられた遊技機主部１２とを有している。
【００１３】
図２に示すように、外枠１１は板材を四辺に連結し構成されるものであって矩形枠状をなしている。外枠１１を島設備に取り付け固定することにより、パチンコ機１０が遊技ホールに設置される。なお、パチンコ機１０において外枠１１は必須の構成ではなく、遊技場の島設備に外枠１１が備え付けられた構成としてもよい。
【００１４】
遊技機主部１２は、外枠１１によって開閉可能な状態で支持されている。具体的には、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている（図３及び図４参照）。
【００１５】
図３及び図４に示すように、遊技機主部１２は、ベース体としての内枠１３と、その内枠１３の前方に配置される前扉枠１４と、内枠１３の後方に配置される裏パックユニット１５とを備えている。なお、遊技機主部１２のうち内枠１３が外枠１１に対して回動可能に支持されている。詳細には、遊技機正面視で左側を回動基端側とし右側を回動先端側として内枠１３が前方へ回動可能とされている。
【００１６】
内枠１３には、前扉枠１４が回動可能に支持されており、遊技機正面視で左側を回動基端側とし右側を回動先端側として前方へ回動可能とされている。また、内枠１３には、裏パックユニット１５が回動可能に支持されており、遊技機正面視で左側を回動基端側とし右側を回動先端側として後方へ回動可能とされている。
【００１７】
次に、前扉枠１４について説明する。図１に示すように、前扉枠１４は、外形が外枠１１とほぼ同一形状をなす合成樹脂製の枠体２０を主体に構成されており、内枠１３における前面のほぼ全域を覆っている。枠体２０の中央部分には後述する遊技領域ＰＥのほぼ全域を前方から視認することができるようにした略楕円状の窓部２１が形成されており、その窓部２１はガラスユニット２２によって同前扉枠１４の背面側から塞がれている。
【００１８】
ガラスユニット２２は、透明性を有する複数のガラスパネル２３と、それらガラスパネル２３を保持するガラスホルダとを備えている。ガラスホルダには、ガラスパネル２３の保持領域を前後に仕切る仕切り部が形成されており、両ガラスパネル２３は仕切り部を挟んで前後に相対向している。つまり、両ガラスパネル２３の間に所定の隙間を確保することにより、ガラスパネル２３同士の干渉を回避しつつ、それらガラスパネル２３によって遊技領域ＰＥをパチンコ機１０の正面側から２重に覆った状態となっている。
【００１９】
なお、必ずしも両ガラスパネル２３をガラスホルダを用いてユニット化する必要は無く、各ガラスパネル２３を枠体２０に対して個々に取り付ける構成としてもよい。更には、ガラスパネルの枚数は任意であり、１枚としてもよいし、３枚以上としてもよい。但し、安全性及び防犯性向上に鑑みれば、複数のガラスパネルを採用し、それら各ガラスパネルを所定の隙間を挟んで前後に対向させることが好ましい。因みに、ガラスパネルに代えて透明性を有する合成樹脂性のパネル部材を採用することも可能である。
【００２０】
ガラスユニット２２（詳しくは窓部２１）の周囲には、各種ランプ等の発光手段が設けられている。例えば、窓部２１の周縁に沿ってＬＥＤ等の発光手段を内蔵した環状電飾部２６が設けられている。環状電飾部２６では、大当たり時や所定のリーチ時等における遊技状態の変化に応じて点灯や点滅が行われる。また、環状電飾部２６の中央であってパチンコ機１０の最上部にはエラー等の不具合が発生した場合に点灯するエラー表示ランプ部２７が設けられ、さらにその左右には賞球払出中に点灯する賞球ランプ部２８が設けられている。また、左右の賞球ランプ部２８に近接した位置には、遊技状態に応じた効果音やＢＧＭ等などが出力されるスピーカ部２９が設けられている（図３参照）。
【００２１】
前扉枠１４（枠体２０）における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている（図２参照）。上皿３３は、後述する払出装置より払い出された遊技球を一旦貯留し、一列に整列させながら後述する遊技球発射機構へ導くための機能を有する。また、下皿３４は、上皿３３内にて余剰となった遊技球を貯留する機能を有する。
【００２２】
下側膨出部３２の右方には、手前側へ突出するようにして遊技球発射ハンドル４１が設けられている。遊技球発射ハンドル４１が操作されることにより、後述する遊技球発射機構から遊技球が発射される。なお、遊技球の発射速度は、遊技球発射ハンドル４１の操作量が大きくなるに従って速くなり、この操作量を遊技者が調整することで、後述する右ルートと左ルートへの遊技球の打ち分けが可能となる。
【００２３】
図３に示すように、前扉枠１４の背面には、通路形成ユニット４５が取り付けられている。通路形成ユニット４５は、合成樹脂により成形されており、上皿３３に通じる前扉側上皿通路と、下皿３４に通じる前扉側下皿通路とを有してなる。通路形成ユニット４５において、その上側隅部には後方に突出し上方に開放された受口部が形成されており、当該受口部を仕切壁によって左右に仕切ることで前扉側上皿通路の入口部分と前扉側下皿通路の入口部分とが区画形成されている。前扉側上皿通路及び前扉側下皿通路は上流側が後述する遊技球分配部に通じており、前扉側上皿通路に入った遊技球は上皿３３に導かれ、前扉側下皿通路に入った遊技球は下皿３４に導かれる。
【００２４】
前扉枠１４の背面における回動基端側には、その上端部及び下端部に突起軸が設けられている。これら突起軸は内枠１３に対する組付機構を構成する。また、前扉枠１４の背面における回動先端側には、図３に示すように、後方に延びる鉤金具６３が上下方向に複数並設されている。これら鉤金具６３は内枠１３に対する施錠機構を構成する。
【００２５】
次に、図５に基づき内枠１３について詳細に説明する。図５は内枠１３の正面図である。なお、図５においては図３と同様に便宜上パチンコ機１０の遊技領域ＰＥ内の構成を省略している。
【００２６】
内枠１３は、外形が外枠１１と同様に略矩形状をなす樹脂ベース７０を主体に構成されている。樹脂ベース７０の高さ寸法は、外枠１１の高さ寸法よりも若干小さく設定されている。また、樹脂ベース７０は外枠１１の上側枠部に寄せて配置され、外枠１１の下側枠部と樹脂ベース７０との間には若干の隙間が形成されている。外枠１１にはこの隙間を塞ぐようにして幕板が装着されている。幕板は、樹脂ベース７０（詳しくはその下端部）の下方に配置されており、内枠１３が外枠１１に対して閉じられた状態では樹脂ベース７０が幕板の上に載ることとなる。なお、幕板と樹脂ベース７０との間に相互干渉の防止等を目的として若干のクリアランスを設けてもよい。
【００２７】
樹脂ベース７０の前面における回動基端側（図３の左側）には、その上端部及び下端部に支持金具７１，７２が取り付けられている。図示は省略するが、支持金具７１，７２は軸部を有しており、それら軸部に前扉枠１４に設けられた軸受け部が挿入されることにより、内枠１３に対して前扉枠１４が回動可能に支持されている。
【００２８】
樹脂ベース７０の前面における回動先端側（図５の右側）には、内枠１３や前扉枠１４を施錠状態とするための施錠装置７５が配設されている。施錠装置７５は、樹脂ベース７０の右端部に沿うようにして上下に延びており、鉤金具６３が前扉用鉤受け部材７６に係止されることによって、前扉枠１４が内枠１３に対して開放不能に施錠される。また、施錠装置７５は、樹脂ベース７０に形成されたスリットを通じて内枠１３の後方側に延出する内枠用鉤部材７７を有している（図４参照）。これら内枠用鉤部材７７が外枠１１に固定された鉤受け部材１９に引っ掛かることにより遊技機主部１２が外枠１１に対して閉じた状態で施錠される。
【００２９】
樹脂ベース７０（施錠装置７５）の右下隅部には、施錠装置７５の解錠操作を行うためのシリンダ錠７８が設置されている。シリンダ錠７８は施錠装置７５に一体化されており、シリンダ錠７８の鍵穴に差し込んだキーを右に回すと内枠１３に対する前扉枠１４の施錠が解除され、シリンダ錠７８の鍵穴に差し込んだキーを左に回すと外枠１１に対する内枠１３の施錠が解除されるように施錠装置７５が構成されている。
【００３０】
樹脂ベース７０の中央部分には遊技盤ユニット８０を収容する収容凹部７３が形成されている。収容凹部は遊技盤ユニット８０の外形に合わせて遊技機後方に窪んでおり、遊技盤ユニット８０はこの収容凹部７３に嵌まった状態で手動式のロック機構によって固定されている。収容凹部７３の底部には、略矩形状の窓孔７４が形成されており、この窓孔７４を通じて遊技盤ユニット８０の背面構成が内枠１３の後方に突出している。なお、この窓孔７４については、樹脂ベース７０に装着された遊技盤ユニット８０によってそのほぼ全域が遊技機前方から覆われた状態となっている。
【００３１】
遊技盤ユニット８０は、透明な合成樹脂材料からなる板材を主体として形成された遊技盤８０ａと、遊技盤８０ａの背面側に設けられ、各種遊技部品（可変表示装置、制御装置、可動式の演出機構、発光可能な装飾部材等）がベース体２５１に搭載されてなる背面ブロック８０ｂとが一体化されてなり、背面ブロック８０ｂの前面部分が遊技盤８０ａを通じて視認可能となっている。
【００３２】
遊技盤８０ａの前面には遊技球が流下する上述した遊技領域ＰＥが形成されている。既に説明したように遊技領域ＰＥはガラスユニット２２（詳しくは後側のガラスパネル２３）によって覆われている。ガラスユニット２２は、後側のガラスパネル２３と遊技盤８０ａの前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０ａは合成樹脂製に限定されるものではなく、木製とすることも可能である。
【００３３】
以下、図６に基づき遊技盤ユニット８０（特に遊技盤８０ａの遊技領域ＰＥに配された各種構成）について説明する。図６は遊技盤ユニット８０の正面図である。
【００３４】
遊技盤８０ａには、自身の厚さ方向（前後方向）に貫通する大小複数の開口が形成されている。図６に示すように、各開口には、一般入賞口８１、可変入賞装置８２、作動口８３ａ，８３ｂ、スルーゲート８４等がそれぞれ配設されている。一般入賞口８１、可変入賞装置８２及び作動口８３ａ，８３ｂに遊技球が入ると、それら遊技球が各入球部に対応して設けられた検知センサ（図示略）により検知され、その検知結果に基づいて所定数の賞球（遊技球の払い出し）等の特典が遊技者に付与される。その他に、遊技盤８０ａの最下部にはアウト口８９が設けられており、各種入球部等に入らなかった遊技球はアウト口８９を通って遊技領域ＰＥから排出される。以下の説明では、アウト口８９への遊技球の入球と明確に区別するために、一般入賞口８１、可変入賞装置８２、作動口８３ａ，８３ｂへの遊技球の入球を「入賞」とも表現する。
【００３５】
また、遊技盤８０ａには、遊技球の流下経路を適宜分散，調整等するために多数の釘が植設されているとともに、風車等の各種部材（役物）が配設されている。これら釘や風車等の各種構成によって遊技球の流下経路が分化され、上述した一般入賞口８１等への入賞が適度な確率で発生するように調整されている。
【００３６】
遊技盤８０ａの中央には中央開口８５が形成されており、この中央開口８５を遊技盤８０ａの背面側から覆うようにして透明な開口カバー８６が取り付けられている。この中央開口８５の背後には、背面ブロック８０ｂに属する可変表示ユニット２５２等が位置しており、遊技機前方から当該中央開口８５（開口カバー８６）を通じて可変表示ユニット２５２等を視認可能となっている。
【００３７】
中央開口８５の周辺に作動口８３ａ，８３ｂやスルーゲート８４等が配設されている。作動口８３ａ，８３ｂは、可変表示ユニット２５２の下方に配設された上作動口８３ａと、上作動口８３ａの下方に配設された下作動口８３ｂとによって構成されており、特に下作動口（抽選契機入球部）８３ｂには、開閉式の入球補助装置（入球補助手段）又は開閉部材（開閉手段）としての電動役物９１が設けられている。電動役物９１は、可動片と同可動片を駆動させるソレノイド式の駆動部とを有してなり、下作動口８３ｂへの入球が可能又は容易となる開状態（補助状態）と、同入球が不可又は困難となる閉状態（非補助状態）とに切替可能となっている。
【００３８】
この下作動口８３ｂよりも上流側（詳しくは可変表示ユニット２５２の側方：右側ルート）には上記スルーゲート８４が配置されており、遊技球のスルーゲート８４の通過をトリガとした抽選にて当選となった場合には、電動役物９１が所定時間だけ閉状態から開状態に切り替えられることとなる。
【００３９】
なお、上作動口８３ａへの入球が発生した場合には３個の遊技球の払出が実行され、下作動口８３ｂへの入球が発生した場合には４個の遊技球の払出が実行されるが、遊技球の払出個数は上記のものに限定されることはない。但し、上作動口８３ａに対する下作動口８３ｂの有利性を高める上では、上作動口８３ａに係る払出個数よりも下作動口８３ｂに係る払出個数を多く設定することが好ましい。
【００４０】
可変入賞装置（特別入球装置又は特別入球手段）８２には、遊技球が通過可能な大入賞口が形成されているとともに、当該大入賞口を開閉する開閉部材（開閉手段）としての開閉体が設けられている。開閉体は、遊技球の入球が可能又は容易となる開状態（許容状態）と、同入球が不可又は困難となる閉状態（阻止状態）とに切替可能となっている。また、同開閉体は、遊技盤８０ａの背面側に設けられた可変入賞駆動部（詳しくはソレノイド等）と連結されており、通常時においては開閉扉は閉状態のまま維持され、内部抽選において開閉実行モード（開閉実行状態）への移行に当選した場合に（大当たり：通常の遊技状態よりも遊技者に有利な特別遊技状態への移行に当選した場合に）開状態に切り替えられるようになっている。
【００４１】
ここで、開閉実行モードとは、大当たり当選となった場合に移行することとなるモードである。当該開閉実行モードにおける可変入賞装置８２の開放態様としては、例えば所定時間（例えば３０ｓｅｃ）の経過又は所定個数（例えば１０個）の入賞を１ラウンドとして、複数ラウンド（例えば１６ラウンド）を上限とした開閉扉の開放が繰り返されるように設定されている。
【００４２】
ここで、可変表示ユニット２５２について補足説明する。可変表示ユニット２５２は、作動口８３ａ，８３ｂへの入賞をトリガとして図柄を可変表示（変動表示）する図柄表示装置２５３を有している。図柄表示装置２５３は、液晶ディスプレイを備えた液晶表示装置として構成されており、後述する表示制御装置によりその表示内容が制御される。図柄表示装置２５３の表示画面２５３ａにおいては、例えば左、中及び右に並べて図柄が表示され、これらの図柄が上下方向にスクロールされるようにして変動表示されるようになっている。そして、大当たりに当選した場合には、予め設定されている有効ライン上に所定の組み合わせの図柄が停止表示され、上記開閉実行モード（特別遊技状態又は大当たり）に移行することとなる。なお、図柄表示装置２５３については必ずしも液晶表示装置である必要はなく、ドットマトリクスや７セグタイプの表示装置であってもよい。
【００４３】
遊技盤８０ａには、中央開口８５を囲むようにしてセンターフレーム９５が設けられている。センターフレーム９５は、遊技盤８０ａ（詳しくは板体）に対してその前面側から固定されており、このように固定された状態では遊技盤８０ａの前面から起立した状態となることで当該センターフレーム９５と上記ガラスユニット２２との間の隙間寸法が遊技球の直径寸法よりも小さくなるように構成されている。これにより、遊技領域ＰＥを流下する遊技球が図柄表示装置２５３に衝突することが回避され、且つ遊技領域ＰＥを流下する遊技球の流下経路が可変表示ユニット２５２（詳しくはセンターフレーム９５）を右側から迂回する上記右ルートと、左側から迂回する上記左ルートに大別されている。
【００４４】
なお、上述した可変入賞装置８２及びスルーゲート８４については、右ルートに配置されており、左ルートを流下する遊技球はそれら可変入賞装置８２やスルーゲートに入賞することが回避される。一方、右ルートを流下する遊技球は上作動口８３ａに入賞することが回避される。このため、下作動口８３ｂの電動役物９１が高頻度サポートモードになっている場合又は開閉実行モードとなっている場合には、右ルートへ遊技球を発射することで遊技を有利に進めることができ、低頻度サポートモードとなっている場合には左ルートへ遊技球を発射することで遊技を有利に進めることができる。つまり、遊技者は、遊技状況に応じて遊技球の流下経路を右ルート／左ルートから選択することにより、遊技を有利に進めることが可能となる。
【００４５】
センターフレーム９５の下部を構成している枠部の上面には、遊技球が左右に転動可能なステージ部が形成されている。センターフレーム９５の左右の左枠部に形成された流入口から流入した遊技球は、同じくセンターフレーム９５に形成されたワープ通路を通じてステージ部上に排出される。ステージ部については、当該ステージ部に到達した遊技球が比較的上作動口８３ａへと流入しやすくなるように構成されており、このステージ部上での遊技球の動きに対する遊技者の注目度向上に貢献している。
【００４６】
ここで、本実施の形態においては上述したように透明な開口カバー８６によって中央開口８５を覆っており、ステージ部上に到達した遊技球が背面ブロック８０ｂ（可変表示ユニット２５２）側へ移動しないように規制されている。
【００４７】
またセンターフレーム９５の下部を構成している枠部の前面には、第１保留ランプ部９８ａ及び第２保留ランプ部９８ｂが設けられている。左側の第１保留ランプ部９８ａは、上作動口８３ａに対応しており遊技球が上作動口８３ａを通過した回数は最大４回まで保留され第１保留ランプ部９８ａの点灯によってその保留数が表示されるようになっている。右側の第２保留ランプ部９８ｂは、下作動口８３ｂに対応しており、遊技球が下作動口８３ｂを通過した回数は最大４回まで保留され第２保留ランプ部９８ｂの点灯によってその保留数が表示されるようになっている。
【００４８】
作動口８３ａ，８３ｂは、中央開口８５（可変表示ユニット２５２）寄りとなる位置に配置されている。作動口８３ａ，８３ｂへの入賞をトリガとして特別遊技状態に移行し得るため、遊技者は作動口８３ａ，８３ｂに入賞するか否かに注目するとともに、特別遊技状態に移行するか否かを把握するため図柄表示装置２５３に注目するものと考えられる。作動口８３ａ，８３ｂを可変表示ユニット２５２寄りに設けたことは、遊技者が注目したい箇所を可変表示ユニット２５２周辺に集中させるための工夫である。
【００４９】
遊技盤８０ａにおける右側の端部（後述する遊技盤ユニット８０の回動先端部）には後述する誘導レール１００とともに遊技領域ＰＥを区画形成する遊技領域区画部材９９が配設されている。遊技領域区画部材９９には、主表示ユニット８７や誘導レール１００に沿って飛翔した遊技球が衝突するストッパ部材が配設されている。ストッパ部材は誘導レール１００の先端付近に配置された緩衝部材であり、当該ストッパ部材に衝突した遊技球はその勢いが弱められた後、遊技領域ＰＥを流下することとなる。つまり、ストッパ部材には衝突した遊技球の勢いを弱める減勢機能が付与されている。
【００５０】
ここで、主表示ユニット８７について補足説明する。主表示ユニット８７は遊技領域区画部材９９に埋設されており、その一部がガラスユニット２２と対向するように配置されている。この対向している部分には、所定の絵柄等が表示される主表示部が設けられている。主表示ユニット８７については、後述する主制御装置に電気的に接続されており、主表示部の表示内容は当該主制御装置によって制御される構成となっている。
【００５１】
主表示部は、上作動口８３ａへの入賞に基づいた抽選結果を表示する下作動口用表示部と、下作動口８３ｂへの入賞に基づいて行われた抽選結果を表示する右作動口用表示部とを有してなる。下作動口用表示部では、上作動口８３ａへの入賞をトリガとして絵柄の変動表示が行われ、その変動表示の停止結果として、上作動口８３ａへの入賞に基づいて行われた内部抽選の結果が明示される。上作動口８３ａへの入賞に基づく内部抽選の結果が開閉実行モードへの移行に対応した当選結果であった場合には、下作動口用表示部にて変動表示が停止され、停止結果として所定の絵柄が表示された後に、上記開閉実行モードへ移行される。
【００５２】
下作動口用表示部では、下作動口８３ｂへの入賞をトリガとして絵柄の変動表示が行われ、その変動表示の停止結果として、下作動口８３ｂへの入賞に基づいて行われた内部抽選の結果が明示される。下作動口８３ｂへの入賞に基づく内部抽選の結果が大当たりに対応した当選結果であった場合には、右作動口用表示部にて変動表示が停止され、停止結果として所定の絵柄が表示された後に、その結果に応じて上記開閉実行モードへ移行される。
【００５３】
ここで、いずれかの作動口８３ａ，８３ｂへの入賞に基づいて、対応する作動口用表示部にて変動表示が開始され、所定の停止結果を表示し上記変動表示が停止されるまでが遊技回の１回に相当する。但し、遊技回の１回は、上記の内容に限定されることはなく、例えば、単一の表示領域が設けられ、いずれの作動口８３ａ，８３ｂへの入賞が発生したとしてもその単一の表示領域にて変動表示が行われる構成においては、当該単一の表示領域にて変動表示が開始され、所定の停止結果を表示した状態で上記変動表示が停止されるまでを遊技回の１回とすることも可能である。
【００５４】
また、主表示ユニット８７の主表示部には上記両表示部以外に、スルーゲート８４への入賞に基づいた抽選結果を表示するスルーゲート用表示部が併設されている。スルーゲート用表示部では、スルーゲート８４への入賞をトリガとして絵柄の変動表示が行われ、その変動表示の停止結果として、スルーゲート８４への入賞に基づいて行われた内部抽選の結果が明示される。スルーゲート８４への入賞に基づく内部抽選の結果が電役開放状態への移行に対応した当選結果であった場合には、スルーゲート用表示部にて所定の停止結果が表示されて変動表示が停止された後に、電役開放状態へ移行する。電役開放状態では、下作動口８３ｂに設けられた上記電動役物９１が所定の態様で開放される。
【００５５】
更に、本実施の形態においては遊技球がスルーゲート８４を通過した回数は最大４回まで保留される構成が採用されているが、主表示ユニット８７の主表示部にはその保留個数を表示する保留数用表示部が設けられている。
【００５６】
以上詳述した主表示部については、前扉枠１４のガラスユニット２２を通じてパチンコ機１０前方から視認可能となっているとともに、これら各種表示部の前方を遊技球が移動することが回避されているため、その視認性が担保されている。
【００５７】
再び図５を用いて内枠１３の構成について説明すれば、樹脂ベース７０における遊技盤ユニット８０の下方には、上記遊技球発射ハンドル４１の操作に基づいて遊技領域ＰＥへ遊技球を発射する遊技球発射機構１１０が設けられている。
【００５８】
遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が樹脂ベース７０に固定されることで、同樹脂ベース７０に対して一体化されている。
【００５９】
発射レール１１２は、遊技盤８０ａ側に向けて上り傾斜となるように、斜めに傾いた状態でベースプレート１１４に固定されている。発射レール１１２には断面略Ｖ字状の溝部が形成されており、その溝状部分に遊技球が嵌ることにより当該遊技球の前後位置が規定されるように構成されている。
【００６０】
発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００６１】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤８０ａ側、詳しくは遊技盤８０ａに装着された誘導レール１００に向けて打ち出される。
【００６２】
誘導レール１００は、遊技盤８０ａ（詳しくは板体の前面）に固定された遊技領域区画部材９９とともに遊技領域ＰＥを同遊技領域ＰＥの外形が略円形状となるように区画形成している。また、誘導レール１００は、遊技球の直径よりも大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分１０４と、遊技領域ＰＥの上部に位置する出口部分１０５とを有している。ソレノイド１１１の動作に基づいて発射された遊技球は、発射レール１１２→誘導レール１００（入口部分１０４→出口部分１０５）の順に移動することにより遊技領域ＰＥに導かれる。なお、遊技盤８０ａにおいて出口部分１０５の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００６３】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。つまり、遊技領域ＰＥへと遊技球を届けるようにして遊技球を発射した場合には誘導通路１０３において外レール１０２に沿った領域が実質的に遊技球が通過する通過領域（通過経路）を構成し、内レール１０１に沿う領域については実質的に遊技球が通過しない領域となる。
【００６４】
同図５に示すように、誘導レール１００及び発射レール１１２は、同誘導レール１００の入口部分１０４と発射レール１１２の先端部分とが遊技盤８０ａの下端縁を挟んで斜めに対峙するように配置されている。つまり、それら両レール１００，１１２は、同誘導レール１００の入口部分１０４と発射レール１１２の先端部分とが遊技盤８０ａの下端縁近傍にて左右にずれるようにして配置されている。これにより両レール１００，１１２を遊技盤８０ａの下端縁に近づけつつ、誘導レール１００の入口部分１０４と発射レール１１２との間には所定間隔の隙間を形成している。
【００６５】
このようにして形成された隙間よりも下側にはファール球通路が配設されている。ファール球通路は前扉枠１４の通路形成ユニット４５に一体成形されている。仮に遊技球発射機構１１０から発射された遊技球が遊技領域ＰＥまで至らずファール球として誘導通路１０３内を逆戻りする場合には、それらファール球が上記隙間を介してファール球通路内に入ることとなる。ファール球通路は前扉側下皿通路に通じており、ファール球通路に入った遊技球は図１に示した下皿３４に排出される。これにより、ファール球と次に発射される遊技球との干渉が抑制される。
【００６６】
樹脂ベース７０において発射レール１１２の左方（詳しくは前扉枠１４を支持している側）には樹脂ベース７０を前後方向に貫通する貫通孔が形成されており、この貫通孔に通路形成部材１２１が配設されている。通路形成部材１２１は、樹脂ベース７０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前扉枠１４に取り付けられた通路形成ユニットの受口部が入り込んでおり、本体側上皿通路１２２の下方には前扉側上皿通路が配置され、本体側下皿通路１２３の下方には前扉側上皿通路が配置されている。
【００６７】
樹脂ベース７０において通路形成部材１２１の下方には、本体側上皿通路１２２及び本体側下皿通路１２３を開閉する開閉部材１２４が取り付けられている。開閉部材１２４は本体側上皿通路１２２及び本体側下皿通路１２３を閉鎖する前方位置に付勢されており、前扉枠１４が開放された場合には、この付勢力によって各開閉部材１２４が閉状態となることで、各通路１２２，１２３からの遊技球の脱落が回避されることとなる。これに対し、前扉枠１４を閉じた状態では、前扉枠１４の通路形成ユニット４５に設けられた受口部により付勢力に抗して開閉部材１２４が押し開けられる。この状態では、本体側上皿通路１２２と前扉側上皿通路とが連通し、さらに本体側下皿通路１２３と前扉側下皿通路とが連通する。
【００６８】
次に、図７に基づき内枠１３（樹脂ベース７０及び遊技盤ユニット８０）の背面構成について説明する。図７は内枠１３の背面図である。
【００６９】
図７に示すように樹脂ベース７０の背面における回動基端側（図７の右側）には、軸受け金具１３２が取り付けられている。軸受け金具１３２には、上下に離間させて軸受け部１３３が形成されており、これら軸受け部１３３により内枠１３に対して裏パックユニット１５が回動可能に取り付けられている。また、樹脂ベース７０の背面には、裏パックユニット１５を閉じた状態で同樹脂ベース７０に固定するための固定レバー１３４が複数設けられている。
【００７０】
既に説明したように樹脂ベース７０における収容凹部（遊技盤収容部）７３の底部分には樹脂ベース７０の厚さ方向に貫通し同樹脂ベース７０の背面側に開放された窓孔７４が形成されており、その窓孔７４が収容凹部７３に収容された遊技盤ユニット８０によって内枠１３の正面側から覆われている。遊技盤ユニット８０（背面ブロック８０ｂ）の背面には制御装置等の各種構成が搭載されており、それら各種構成は窓孔７４を通じて内枠１３の背側に露出した状態となっている。ここで、遊技盤ユニット８０の背面の構成について説明する。
【００７１】
遊技盤８０ａの背面側に設けられた背面ブロック８０ｂは、遊技盤８０ａ側に開放された略箱状のベース体２５１を有してなり、このベース体２５１が遊技盤８０ａの背面に固定されることで、遊技盤８０ａと背面ブロック８０ｂとが一体化されている。
【００７２】
ベース体２５１の前面側は、可動式の演出機構や発光可能な装飾部材等の配置領域となっており、その背面側はそれら各種構成を制御する制御装置や上記可変表示ユニット２５２（図柄表示装置２５３）の配置領域となっている。
【００７３】
より具体的には、ベース体２５１の一部が樹脂ベース７０の背面側に突出しており、その突出した部分に対して上述した図柄表示装置２５３（図６参照）と、その図柄表示装置２５３を駆動するための表示制御装置とが取り付けられている。これら図柄表示装置２５３及び表示制御装置２５４は前後方向（樹脂ベース７０の厚さ方向）に図柄表示装置２５３が前側且つ表示制御装置２５４が後側となるように重ねて配置されている。さらに、ベース体２５１の背面部には、表示制御装置の後方に位置するようにして報知・演出制御装置２５５が搭載されている。
【００７４】
報知・演出制御装置２５５は、後述する主制御装置からの指示に従い音声の出力やランプ表示、及び表示制御装置の制御を司る報知・演出制御基板を具備しており、報知・演出制御基板が透明樹脂材料等よりなる基板ボックスに収容されて構成されている。
【００７５】
報知・演出制御装置２５５の下方には、ベース体９６を後方から覆うようにして主制御装置ユニット１６０が設けられている。主制御装置ユニット１６０は、遊技盤ユニット８０（詳しくは背面ブロック８０ｂ）の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００７６】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部１６４によって開封不能に連結され、これにより基板ボックス１６３が封印されている。ボックス封印部１６４は、基板ボックス１６３の短辺部に複数設けられ、そのうち少なくとも１つが用いられて封印処理が行われる。
【００７７】
ボックス封印部１６４はボックスベースとボックスカバーとを開封不能に結合する構成であれば任意の構成が適用できるが、ボックス封印部１６４を構成する係止孔部に係止ピンを挿入することでボックスベースとボックスカバーとが開封不能に結合されるようになっている。ボックス封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部１６４のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００７８】
基板ボックス１６３と取付台１６１とは台座封印部１６５によって開封不能に連結されている。詳しくは、台座封印部１６５は、ボックス封印部１６４と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００７９】
ベース体２５１の前面部において遊技盤８０ａの背面下部と対向している部分には、前記一般入賞口８１，可変入賞装置８２、作動口８３ａ，８３ｂの遊技盤開口部に対応し且つ下流側で１カ所に集合する回収通路（図示略）が形成されている。これにより、一般入賞口８１等に入賞した遊技球は何れも回収通路を介して遊技盤ユニット８０の下方に集合する構成となっている。つまり、ベース体２５１には各種入賞口に入賞した遊技球を回収する機能が付与されている。
【００８０】
遊技盤ユニット８０の下方には後述する排出通路が配されており、回収通路によって遊技盤ユニット８０の下方に集合した遊技球は排出通路内に導出される。なお、アウト口８９についても同様に排出通路に通じており、何れの入賞口にも入賞しなかった遊技球はアウト口８９を介して排出通路内に導出される。
【００８１】
また、背面ブロック８０ｂを構成するベース体２５１には、上述した各入球部用の検知センサとして、上記一般入賞口８１に入賞した遊技球を検知する一般入賞口用検知センサと、作動口８３ａ，８３ｂに入った遊技球を検知する作動口用検知センサとが装着されており、それら各種検知センサによって入賞検知機構が構成されている。これら各種検知センサは主制御装置１６２に対して電気的に接続されており、各検知センサから検知情報（検知信号）が同主制御装置１６２に出力される構成となっている。
【００８２】
次に、図４及び図８に基づき裏パックユニット１５について説明する。図８は裏パックユニット１５の正面図である。
【００８３】
図４に示すように、内枠１３は裏パックユニット１５によって後方から覆われている。裏パックユニット１５は、裏パックユニット１５の本体部としての裏パック２０１を備えており、当該裏パック２０１に対して、払出機構部２０２、排出通路盤２０３及び制御装置集合ユニット２０４が取り付けられている。
【００８４】
裏パック２０１は、透明性を有する合成樹脂により成形されており、図８に示すように払出機構部２０２等が取り付けられるベース部２１１と、パチンコ機１０後方に突出し略直方体形状をなす保護カバー部２１２とを有してなる。保護カバー部２１２は左右側面及び上面が閉鎖され且つ下面のみが開放された形状をなし、少なくとも可変表示ユニット２５２を囲むのに十分な大きさを有する（図４参照）。
【００８５】
ベース部２１１にはパチンコ機１０後方からみて右端部に上下一対の掛止ピン２１４が設けられており、掛止ピン２１４を内枠１３に設けられた前記軸受け部１３３に挿通させることで、裏パックユニット１５が内枠１３に対して回動可能に支持されている。ベース部２１１には、内枠１３に設けられた固定レバー１３４が挿通される複数の挿通部が形成されており、固定レバー１３４が挿通部２１５に挿通された状態にてベース部２１１に後方から当接することにより内枠１３に対して裏パックユニット１５が固定されている。
【００８６】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の側方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００８７】
遊技球分配部２２５は、払出装置２２４より払い出された遊技球を上皿３３、下皿３４又は後述する排出通路の何れかに振り分けるための機能を有し、内側の開口部が上述した本体側上皿通路１２２及び前扉側上皿通路を介して上皿３３に通じ、外側の開口部が本体側下皿通路１２３及び前扉側下皿通路を介して下皿３４に通じるように形成されている。
【００８８】
ベース部２１１において払出機構部２０２よりも上側となる位置には、パチンコ機１０（詳しくは主制御装置１６２）と遊技ホール側の管理制御装置（ホールコンピュータ）とを繋ぐ中継手段としての外部端子板ユニット３００が設けられている。外部端子板ユニット３００には各種の出力端子が設けられており、これらの出力端子を通じてホールコンピュータに大当たりに当選した旨を示す信号や球詰まり等の異常が発生した旨を示す信号等の各種信号が出力される。ホールコンピュータは、これらの信号に基づいて遊技機がどのような状態にあるかを把握する構成となっている。
【００８９】
ベース部２１１の下端部には、当該下端部を前後に挟むようにして排出通路盤２０３及び制御装置集合ユニット２０４が取り付けられている。排出通路盤２０３には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００９０】
制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００９１】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００９２】
電源・発射制御装置２４３は、基板ボックス２４６内に電源・発射制御基板が収容されている。電源・発射制御基板により、各種制御装置等で要する所定の電源が生成されて出力され、さらに遊技者による遊技球発射ハンドル４１の操作に伴う遊技球の打ち出しの制御が行われる。具体的には、遊技球発射機構１１０を構成しているソレノイド１１１の駆動制御や球送装置１１３の駆動制御が実行される。
【００９３】
また、電源・発射制御装置２４３には電源スイッチ２４７が設けられている。電源スイッチ２４７を操作することにより、パチンコ機１０の電源を投入状態（オン状態）又は遮断状態（オフ状態）に切り替え可能となっている。
【００９４】
ここで、本パチンコ機１０は各種データの記憶保持機能を有しており、万一停電が発生した際でも停電時の状態を保持し、停電からの復帰の際には停電時の状態に復帰できるようになっている。例えば遊技ホールの営業終了の場合のように通常手順で電源を遮断すると遮断前の状態が記憶保持される。一方、主制御装置１６２に設けられたＲＡＭ消去スイッチ１６６を押しながら電源を投入すると、ＲＡＭデータが初期化されるようになっている。
【００９５】
＜外部端子板ユニット３００＞
本実施の形態においては、上記外部端子板ユニット３００について特徴的な構成を有している。以下、図８〜図１３に基づいて外部端子板ユニット３００について補足説明する。図９は外部端子板ユニット３００及びそれに関連する構成を示す図８の部分拡大図、図１０（ａ）は外部端子板ユニット３００を裏パック２０１のベース部２１１に装着した状態を示す斜視図、図１０（ｂ）は外部端子板ユニット３００を裏パック２０１のベース部２１１から取り外した状態を示す斜視図、図１１は外部端子板ユニット３００の正面図、図１２，図１３は外部端子板ユニット３００を主要な構成毎に分解して示す分解斜視図である。
【００９６】
図８を参照して説明したように、外部端子板ユニット３００は、裏パックユニット１５（裏パック２０１）の背面側に設けられている。より具体的には、裏パック２０１のベース部２１１においてタンク２２１と横並びとなる部分には外部端子板ユニット３００用の搭載面部２１１ａが形成されており（図１０参照）、この搭載面部２１１ａに外部端子板ユニット３００が配置されている。図９に示すように、外部端子板ユニット３００は全体として横長状をなしており、タンクレール２２２に沿うようにして左右に延びている。外部端子板ユニット３００を裏パック２０１の上隅部にタンク２２１と横並びとなるように配置することにより、島設備からの遊技球の供給経路の確保、及び当該供給経路と外部端子板ユニット３００から延びる各種配線との干渉が抑制されている。なお、詳細については後述するが、外部端子板ユニット３００の形状及び配置については、限られた領域にてタンクレール２２２と共存させるための工夫が施されている。
【００９７】
図１１に示すように、外部端子板ユニット３００は、主制御装置１６２からのハーネスが接続される中継コネクタ３１１や遊技ホールの島設備に設けられた各種配線が接続される複数の接続端子３１２が配設された基板（以下、外部端子板３１０という）と、当該外部端子板３１０を保持するホルダ部材３５０とを有してなり、ホルダ部材３５０が搭載面部２１１ａに固定されることで外部端子板ユニット３００が裏パック２０１に一体化されている。
【００９８】
ホルダ部材３５０は外部端子板３１０を囲む矩形枠状の周壁部３５１を有し、この周壁部３５１によって囲まれた領域に外部端子板３１０が収容されている。周壁部３５１は透明な合成樹脂材料を用いて形成されており、この周壁部３５１を通じた外部端子板３１０の視認性が担保されている。
【００９９】
周壁部３５１は、搭載面部２１１ａ側（下側）及びそれとは反対側（上側）の両方に開放されており、上側の開放部分を通じて外部端子板３１０における接続端子３１２等の搭載面３１０ａが上側に露出している。周壁部３５１には、外部端子板３１０における接続端子３１２等の搭載面３１０ａに当接するストッパと、外部端子板３１０の裏面に引っ掛かる爪部が形成され、これらストッパ及び爪部によって外部端子板３１０が挟まれることで、外部端子板３１０とホルダ部材３５０とが一体化されている（図１２及び図１３参照）。また、外部端子板ユニット３００が上記搭載面部２１１ａに固定された状態では、外部端子板３１０の下側の開放部分が搭載面部２１１ａによって塞がれる。このため、配線の接続作業等によって外部端子板３１０に外力が加わった場合であっても、ホルダ部材３５０からの外部端子板３１０の脱落が好適に回避される。
【０１００】
外部端子板３１０は左右に延びる長板状をなしており、上記搭載面３１０ａが中継コネクタ３１１用の搭載領域と接続端子３１２用の搭載領域とに大別されている。ホルダ部材３５０の周壁部３５１には相対向する一対の壁部に跨るようにして区画壁部３５２が形成されており、この区画壁部３５２によって周壁部３５１の内部領域についても、中継コネクタ３１１用の収容領域と接続端子３１２用の収容領域とに大別されている。このように中継コネクタ３１１及び接続端子３１２の住み分けを行うことにより、接続端子３１２への配線の接続作業を行う際に当該配線が中継コネクタ３１１に接続されたハーネス等に干渉すること等が抑制されている。
【０１０１】
図１０に示すように、上記搭載面部２１１ａは上斜め後方を向く平面状をなしており、外部端子板ユニット３００が搭載面部２１１ａに設置されることで、外部端子板３１０の搭載面３１０ａが斜めに傾いている（上斜め後方を向いている）。このような配置とすることにより、上下方向における外部端子板３１０の占有領域を小さくすることが可能となっている。つまり、外部端子板３１０を傾けて配置することにより、配線等の接続作業時の接続端子３１２等の視認性を担保しつつ、タンクレール２２２と外部端子板ユニット３００とを好適に共存させて占有領域を圧縮することで遊技盤ユニット８０の大型化等に貢献している。
【０１０２】
係る配置は従来の外部端子板の配置（搭載面が遊技機後方を向く配置）と比較して、上記各種効果が発揮される点で優れているものの、当該配置とすることにより新たな課題が生じる。具体的には、島設備の上部に設けられた遊技球供給装置等から遊技球が零れた場合には、当該遊技球が外部端子板３１０に当たる可能性が高くなる。このような事象が発生することは、接続不良等の通信障害を招来する要因となるため好ましくない。本実施の形態に示す外部端子板ユニット３００においては、このような事情等に鑑みて接続端子等を覆うカバー部材３７０が設けられている。以下、図１１〜図１３を参照して、先ず接続端子３１２の配置及び構造について補足説明し、その後、カバー部材３７０について説明する。
【０１０３】
＜接続端子３１２＞
図１１に示すように、外部端子板３１０に設けられた接続端子３１２は、当該外部端子板３１０の長手方向に並ぶようにして配列されている。接続端子３１２は配線が接続される接続機構３１５を収容するケース体３１６を有している（図１２参照）。ケース体３１６は、外部端子板３１０の搭載面３１０ａ側に開放された略箱状をなしており、搭載面３１０ａとは反対となる部分には上記長手方向に並べて２つの配線挿入口３２１，３２２が形成されている。配線挿入口３２１，３２２に挿入された配線が接続機構３１５によってホールドされる（詳しくは挟み込まれる）ことにより、上述したホールコンピュータとパチンコ機１０とが電気的に接続された状態となる。
【０１０４】
なお、本実施の形態においては、２本１組の配線（アース線及び信号線）で１種の信号に対応しており、一方の配線挿入口３２１がアース線、他方の配線挿入口３２２が信号線に対応している。
【０１０５】
接続機構３１５は、各配線挿入口３２１，３２２への配線の取り付けを行う際に操作されるレバー部材３３１，３３２を有している。このレバー部材３３１，３３２が操作されることにより、接続機構３１５が配線の取外を制限するロック状態と配線の取外及び取付を許容するアンロック状態とに切り替る構成となっている。
【０１０６】
接続機構３１５における配線の着脱構造について補足説明すると、レバー部材３３１，３３２はケース体３１６によって回動可能に保持されているとともにケース体３１６に設けられた付勢部材（詳しくは圧縮コイルバネ）により初期位置に向けて付勢されている。この付勢力は、接続機構３１２をロック状態に維持するように作用する。
【０１０７】
レバー部材３３１，３３２は、その一部がケース体３１６の外に突出するようにして形成されている。この突出している部分には、指掛け部３３３，３３４が形成されており、同指掛け部３３３，３３４が作業者による押圧操作の対象となっている。一方、レバー部材３３１，３３２においてケース体３１６内に位置する部分には、配線挿入口３２１，３２２を開閉するシャッタ部３３５，３３６が形成されている。シャッタ部３３５，３３６は、その先端部分がケース体３１６に形成された配線受け部３２５，３２６に対峙しており、指掛け部３３３，３３４が押圧操作されることにより上記付勢部材の付勢力に抗して配線受け部３２５，３２６から遠ざかり、指掛け部３３３，３３４の押圧操作が解除されることにより上記付勢力によって閉位置に復帰しようとする。
【０１０８】
配線挿入口３２１，３２２に配線（詳しくは金属性の導電部分）が挿入されている場合には、シャッタ部３３５，３３６と配線受け部３２５，３２６によって配線が挟まれた状態で固定され（上記ロック状態となり）、遊技ホールに設置されたホールコンピュータと遊技機とが配線を介して電気的に接続された状態となる。
【０１０９】
ホルダ部材３５０には、上述した接続端子用の収容領域を配線挿入口３２１，３２２が形成されている部分と、それ以外の部分とに仕切る仕切り部３５３が形成されている。この仕切り部３５３によってホルダ部材３５０に配線挿入口３２１，３２２に対応する端子側開口部３５５と、上記指掛け部３３３，３３４に対応するレバー側開口部３５６とが形成されている。
【０１１０】
＜カバー部材３７０＞
本実施の形態に示すカバー部材３７０は、上記端子側開口部３５５を配線挿入口３２１，３２２が開放されている側から覆う覆い部３７１を有している。覆い部３７１は、外部端子板３１０の長手方向（接続端子３１２の配列方向）と同じ方向に延びる長板状をなしており、一方の板面が接続端子３１２にて配線挿入口３２１，３２２が形成されている部分に対峙している。
【０１１１】
覆い部３７１の両端部には、ホルダ部材３５０の周壁部３５１の外面に対向する側壁部３７２が形成されている。図１２に示すように側壁部３７２には周壁部３５１に突設された軸部３６１が挿通される軸受け部３７３が形成されており、軸部３６１が軸受け部３７３に挿通されることにより、カバー部材３７０が軸部３６１を中心として回動可能に取り付けられている。
【０１１２】
カバー部材３７０の回動中心軸線は、外部端子板３１０の長手方向、すなわち接続端子３１２の配列方向と同じ方向に延びている。カバー部材３７０がこの回動中心軸線を中心として回動することにより、覆い部３７１が上記端子側開口部３５５を覆う閉位置と開位置とに変位する。
【０１１３】
覆い部３７１の一端部には後方に延出する延出部３７４が形成されている。延出部３７４は、上記側壁部３７２とともに中継コネクタ３１１を収容する箱状の収容部を構成している（図１３参照）。周壁部３５１及び側壁部３７２には、中継コネクタ３１１から延びるハーネス用の開口部が形成されている。このように、中継コネクタ３１１と主制御装置１６２とを繋ぐハーネスの取り回し経路を規定することにより、当該ハーネスが接続端子３１２用の収容領域へ張り出すことが回避されている。
【０１１４】
延出部３７４の先端部分には操作片３７５が形成されている。操作片３７５は、ホルダ部材３５０の周壁部３５１よりも後方へ突出しており、この操作片３７５を指で摘む等して上げ下げすることによりカバー部材３７０を開閉させることが可能となっている。
【０１１５】
カバー部材３７０及びホルダ部材３５０には、閉位置から開位置へのカバー部材３７０の移動を規制する規制手段として、カバー側係止部３７７及びホルダ側係止部３６７が形成されている。これらホルダ側係止部３６７とカバー側係止部３７７とが引っ掛かることにより、カバー部材３７０の動きが妨げられることとなる。カバー部材３７０を開位置に移動させる場合には、上記操作片３７５を操作することで延出部３７４が撓み変形して、上記引っ掛かりが解除される。つまり、操作片３７５と規制手段とを併設することにより、引っ掛かり解除に係る操作の容易化が実現されている。
【０１１６】
上述したホールコンピュータの仕様については遊技ホールの営業形態等に応じて異なっており、実際に使用される接続端子３１２（信号の種類）は一義的ではない。また、設置される遊技機についても遊技機メーカー毎に仕様が異なるため、出力される信号の種類についても様々である。このような事情から、接続端子３１２への配線の接続にコネクタ等の接続手段を適用することは難しいのが実情である。
【０１１７】
近年では遊技機の高機能化が進んでおり、外部端子板ユニット３００を通じて出力可能な信号の種類（接続端子３１２の数）についても増加傾向にある。上述した配線の接続作業を一つずつ行っていては作業負荷及び作業に要する期間が膨大になり、遊技機の配置替えや入替等の作業効率が低下する。特に、大型店舗等では配置替えや入替等の対象となる遊技機の数が多くなりやすいため、上記不都合が顕著になると懸念される。
【０１１８】
本実施の形態においては、このような各種事情に鑑みて、上述した配線の接続作業を一括して行うための構成を有していることを特徴の一つとしている。以下、図１１〜図１５を参照して当該特徴的な構成について説明する。図１４（ａ）はカバー部材３７０を閉じた状態を示す概略図、図１４（ｂ）はカバー部材３７０を開いた状態を示す概略図、図１５（ａ）は図１４（ａ）のＡ−Ａ線部分断面図、図１５（ｂ）は図１４（ｂ）のＢ−Ｂ線部分断面図である。なお、図１５においては、説明の便宜上、接続端子３１２のケース体３１６を一部破断した状態を示している。
【０１１９】
＜配線の一括接続に関する構成＞
図１２に示すように、カバー部材３７０の覆い部３７１には、当該覆い部３７１の厚さ方向に貫通するスリット３８１が複数形成されている。
【０１２０】
当該カバー部材３７０の回動中心軸線と交差する方向（詳しくは直交する方向）に延びるスリット３８１が複数形成されている。これらスリット３８１は、各接続端子３１２の配線挿入口３２１，３２２に１対１で対応しており、カバー部材３７０が閉じた状態にて対応する配線挿入口３２１，３２２の直上に位置する構成となっている（図１５（ａ）参照）。
【０１２１】
図１３に示すように各スリット３８１はカバー部材３７０の回動中心軸線と交差する方向（詳しくは直交する方向）に延びており、その一端が覆い部３７１の周縁部に到達している。この到達している部分については、遊技機方向に開放されている（以下、開放部３８２という）。スリット３８１において相対向している側壁面の隙間寸法Ｌは、スリット３８１の開放部３８２から遠くなるにつれて大きくなるように設定されている。特に、開放部３８２における隙間寸法Ｌ１は配線Ｈの直径寸法Ｄよりも大きくなっており、当該開放部３８２を通じた配線の挿入が容易化されている。
【０１２２】
スリット３８１の奥壁部３８３を含む奥側領域は、隙間寸法Ｌ２が配線Ｈの直径寸法Ｄよりも僅かに小さく設定されており、この部分に配線Ｈが入り込んだ場合には、配線Ｈ（詳しくは導電部材を覆う保護カバー部材）が僅かに変形することで当該配線Ｈに上記側壁面や奥壁部３８３が食い込むこととなる。つまりカバー部材３７０によって配線Ｈが保持された状態となる。スリット３８１への配線挿入時には、当該配線Ｈが奥壁部３８３に当たることにより、それ以上の押し込みが制限される。つまり、奥壁部３８３は配線Ｈの挿入位置を規定する位置決め機能が付与されている。
【０１２３】
奥壁部３８３に配線が当接し得る領域は上記隙間寸法が一定となるように設定された保持領域ＨＥとなっており、それよりも開放部３８２側となる領域は配線Ｈを保持領域ＨＥへと案内する拡張領域ＴＥとなっている。拡張領域ＴＥは、保持領域ＨＥに向けてその隙間寸法が徐々に小さくなるように設定されており、当該保持領域ＨＥへ配線Ｈを誘導する機能が付与されている。
【０１２４】
図１２に示すように、ホルダ部材３５０の周壁部３５１にはカバー部材３７０の側壁部３７２に形成された貫通孔に係合する突起が形成されており、カバー部材３７０を開放した状態では突起と貫通孔とが係合することで、カバー部材３７０が開放状態に保持される構成となっている。本実施の形態に示すカバー部材３７０は、複数の配線を個別に保持する保持機能が付与されており、これらの配線を外部端子板３１０（詳しくは接続端子３１２）に接続する際の一括接続に貢献している。カバー部材３７０を開放した状態で保持する仮保持機能を付与することにより、カバー部材３７０への配線の取付作業の容易化を図っている。
【０１２５】
図１４（ｂ）及び図１５（ｂ）に示すように、カバー部材３７０が開放されている状態では、スリット３８１の開放部３８２が遊技機上方を向いている。これにより、配線Ｈの自重を利用して保持領域ＨＥへと押し込みやすくなり、更には配線Ｈが奥壁部３８３（保持領域ＨＥ）に達しているかを把握しやすくなっている。つまり、カバー部材３７０を開放状態とした場合の回転位置については、配線Ｈをスリット３８１へ挿入する挿入作業を容易とする技術的意義がある。
【０１２６】
カバー部材３７０に配線Ｈを取り付けた状態にて、図１４（ｂ），図１５（ｂ）→図１４（ａ），図１５（ａ）に示すようにカバー部材３７０を開状態から閉状態に切り替えた場合には、カバー部材３７０によって保持されている配線Ｈの先端部が当該カバー部材３７の動きに追従して配線挿入口３２１，３２２に向けて移動することとなる。配線挿入口３２１，３２２へ挿入される直前では、配線Ｈの向きと配線挿入口３２１，３２２の向き（直線ＩＬ参照）との差が小さくなることにより、配線Ｈの先端部が配線挿入口３２１，３２２へ円滑に挿入されやすくなっている。なお、好ましくは、当該タイミングにおいては、配線Ｈの向きと配線挿入口３２１，３２２の向き（直線ＩＬ参照）とが同じ向きになることが好ましい。
【０１２７】
上述の如く、カバー部材３７０のスリット３８１に配線Ｈを押し込む構成では、配線Ｈの保持位置を奥壁部３８３によって教示することが可能であるものの、配線Ｈの向きについては配線Ｈの保持スパンが覆い部３７１の厚さに依存することから、比較的ばらつきが生じやすい。これでは、配線Ｈの先端部の移動方向と、配線挿入口３２１，３２２の向きとずれて、配線Ｈの先端部が配線挿入口３２１，３２２に上手く入らなくなる可能性が生じる。
【０１２８】
ここで、本実施の形態においては、このようなばらつきを許容すべく、カバー部材３７０の閉状態への切替動作に伴って配線Ｈの先端部を配線挿入口３２１，３２２へと誘導する誘導手段が設けられている。具体的には、図１１に示すように配線挿入口３２１，３２２は奥側にて狭くなるテーパ状をなしており、更にはホルダ部材３５０の仕切り部３５３には、配線挿入口３２１，３２２に向けて傾斜する誘導傾斜面３５４が形成されている（図１５参照）。
【０１２９】
配線Ｈの向きが予め想定されている本来の向きに対して前後にずれている場合には、配線Ｈの先端部が誘導傾斜面３５４に当ることで、配線挿入口３２１，３２２へと誘導され、配線挿入口３２１，３２２に誘導された後は、上記テーパに沿うようにして奥側へと誘導されることとなる。これにより、上述した作業ばらつきによる接続ミスを軽減することが可能となっている。
【０１３０】
既に説明したように各接続端子３１２の配線挿入口３２１，３２２については、接続機構３１５を構成するレバー部材３３１，３３２が操作されることにより開閉される。つまり、配線Ｈの接続作業を行う際には、カバー部材３７０を開状態から閉状態に切り替える前に、配線挿入口３２１，３２２を開放させて配線Ｈの受け入れを許容する状態としておく必要がある。レバー部材３３１，３３２は各配線挿入口３２１，３２２に１対１で設けられており、１人の作業者がこれらレバー部材３３１，３３２をまとめて操作することは極めて困難である。そこで、本実施の形態に示す外部端子板ユニット３００では、カバー部材３７０による配線の集約機能に合わせて、各接続端子３１２の接続機構３１５を一括してアンロック状態へ切り替える切替部材３９０が設けられている。以下、この切替部材３９０について、図１１〜図１５を参照して説明する。
【０１３１】
＜切替部材３９０＞
図１１に示すように、切替部材３９０はホルダ部材３５０の周壁部３５１における左側の側壁部及び区画壁部３５２に内側から対向する左右一対の基部３９１を有している。それら基部３９１は板状をなしており、接続端子３１２と周壁部３５１（上記側壁部）又は区画壁部３５２との間に収容されている。図１２に示すように、基部３９１の外面には軸部３９２が形成されている。軸部３９２が周壁部３５１（上記側壁部）及び区画壁部３５２に形成された軸受け部３６２に係合することにより、切替部材３９０が当該軸受け部３６２を中心として回動可能な状態でホルダ部材３５０と一体化されている。
【０１３２】
切替部材３９０には、第１レバー部材３３１の第１指掛け部３３３に上側から当接する棒状の第１当接部３９３と、第２レバー部材３３２の第２指掛け部３３４に上側から当接する棒状の第２当接部３９４とを有している。ここで、図示は省略するが、両レバー部材３３１，３３２の回動中心軸線が一致している（同軸となっている）ものの、初期位置に配置されている状態では回動操作方向に位相差が生じるようにしてずれている。これにより、第１指掛け部３３３が第２指掛け部３３４よりも上位に位置している。より詳しくは、上位に位置する第１指掛け部３３３が限界位置まで操作された状態で初めて第２指掛け部３３４と横並びとなるようにして上記位相差が設定されている。これは、両指掛け部３３３，３３４のうち一方を操作する場合に、他方が当該操作の邪魔になることを回避するための工夫である。
【０１３３】
なお、本実施の形態においては各指掛け部３３３，３３４に対応させて２つの当接部３９３，３９４を設けたが、例えば上述した位相差が存在しない場合には、当接部を１つとすることも可能である。
【０１３４】
図１１及び図１５に示すように切替部材３９０が待機状態となっている場合には、第１レバー部材３３１の第１指掛け部３３３が第１当接部３９３よりも後方へ突出している。同様に、第２レバー部材３３２の第２指掛け部３３４についても第２当接部３９４よりも後方に突出している。このように、指掛け部３３３，３３４の一部を突出させておくことにより、個々のレバー部材３３１，３３２を個別に操作することが許容されている。
【０１３５】
切替部材３９０の基部３９１のうちカバー部材３７０の延出部３７４とは反対側に位置しているものには、遊技機後方に突出する突出部３９５が形成されている。この突出部３９５に指を引っ掛けて押下げることで、切替部材３９０が回動することとなる。当接部３９３，３９４によって指掛け部３３３，３３４が押されることにより各レバー部材３３１，３３２が上記付勢部材の付勢力に抗して回動する。この結果、レバー部材３３１，３３２がまとめてロック状態からアンロック状態に切り替ることとなる。
【０１３６】
本実施の形態では、多数のレバー部材３３１，３３２を一括してアンロック状態へ切り替える構成となっているため、上記切り替えを行う際に必要となる操作力が大きくなり得る。特に、付勢部材による付勢力はレバー部材３３１，３３２の回動量が大きくなるにつれて増大するため、全てのレバー部材３３１，３３２をアンロック状態に維持する場合、作業負荷が大きくなる。
【０１３７】
このような事情に鑑みて、本実施の形態においては切替部材３９０の回動中心軸線とレバー部材３３１，３３２の回動中心軸線とを平行としつつ僅かではあるがずらしてある。これにより、当接部３９３，３９４と指掛け部３３３，３３４との当接箇所が切替部材３９０の回転角度が大きくなるにつれて変化する構成、具体的には当接箇所が徐々に指掛け部３３３，３３４の先端（後端）側へずれる構成となっている。これにより、切替部材３９０を回動させる場合、また最大回動位置にて保持する場合の操作力の増大を抑制し、上記不都合の発生を抑えている。
【０１３８】
＜配線の接続作業＞
次に、図１６及び図１７を参照して配線Ｈの接続作業の流れについて説明する。図１６は外部端子板ユニット３００への配線接続作業の流れを示す概略図、図１７は配線Ｈの接続の様子を示す概略図である。なお、説明の便宜上、図１６及び図１７においては裏パックユニット１５に搭載されている外部端子板ユニット３００以外の構成を省略し、図１６においては主制御装置１６２と外部端子板ユニット３００とを繋ぐハーネスを２点鎖線によって表示している。
【０１３９】
遊技ホールの島設備にパチンコ機１０を設置した後は、遊技ホールに設けられたホールコンピュータとパチンコ機１０とを電気的に接続する作業を行う。当該接続作業を行う際には、先ず図１６（ａ）に示すように、カバー部材３７０を閉状態から開状態に切り替える。この際、カバー部材３７０の操作片３７５を摘んで引き上げることにより、延出部３７４が撓んでカバー側係止部３７７とホルダ側との係合が解除されることとなる。そして、開状態に切り替った後は上述した仮保持手段により開状態に維持される。なお、外部端子板３１０に設けられた中継コネクタ３１１については、パチンコ機１０の出荷時に遊技機メーカーの製造工程にてハーネスが接続されているため、本接続作業を行う際にハーネスの接続作業を行う必要は必ずしもない。
【０１４０】
ホールコンピュータから延びる各配線Ｈについては、例えば島設備の上部に設けられた棚等から吊り下げられている。これら配線Ｈを手にとってその中間部分（詳しくは銅線等の金属製の導電部材に近接する部分）をカバー部材３７０のスリット３８１へ差し込む。スリット３８１は開放部３８２を有しているため、配線Ｈをスリット３８１に覆い部３７１の厚さ方向から差し込む場合と比較して、作業を容易に行うことができる。配線Ｈがスリット３８１の奥壁部３８３に当接した後は、次の配線Ｈの取り付けを行う。
【０１４１】
本実施の形態におけるスリット３８１は、拡張領域ＴＥと保持領域ＨＥとを有し、スリット３８１の長手方向における拡張領域ＴＥの幅寸法は、配線Ｈの直径寸法Ｄよりも大きく設定されている（図１４参照）。このため、配線をスリット３８１の奥へと押し込んで保持領域ＨＥに配置した状態では、次の配線の挿入時に先行して配置済みの配線が手元側に残ることがない。このため、先の取付対象となった配線が後続の取付作業の邪魔になることが好適に抑制される。
【０１４２】
カバー部材への配線Ｈの取り付けが完了した後は、図１６（ｂ）に示すように、切替部材３９０の突出部３９５を押圧操作して、全てのレバー部材３３１，３３２を回動させる。これにより、接続端子３１２が全てアンロック状態に切り替り、配線挿入口３２１，３２２が開放されることとなる。
【０１４３】
次に、図１６（ｂ）→図１６（ｃ）に示すように、切替部材３９０を回動位置に保持したまま、すなわち接続端子３１２をアンロック状態に維持したまま、カバー部材３７０を閉状態に切り替える。このカバー部材３７０の動きによって配線Ｈの先端部が対応する配線挿入口３２１，３２２へと導かれる。仮に、配線Ｈの固定位置や向きがばらつく等して、上手く配線挿入口３２１，３２２へ向かわない場合には、配線Ｈの先端部が上記誘導傾斜面３５４（図１５等参照）に当って当該誘導傾斜面３５４に沿って移動することにより、配線挿入口３２１，３２２へと案内される。
【０１４４】
カバー部材３７０の閉状態への切替完了後は、切替部材３９０から手を離すことで、各レバー部材３３１，３３２が上記付勢部材の付勢力により元の状態へ復帰しようとする。これにより、レバー部材３３１，３３２のシャッタ部３３５，３３６のシャッタ部３３５，３３６が、図１７（ｂ）→図１７（ｃ）に示すように閉位置へ向けて移動し、配線挿入口３２１，３２２に挿入されていた配線Ｈの先端部がシャッタ部３３５，３３６及び配線受け部３２５，３２６によって挟み込まれた状態となる。この結果、接続端子３１２からの配線Ｈの脱落が規制されるとともに、配線Ｈを介してホールコンピュータとパチンコ機１０とが電気的に接続される。
【０１４５】
＜配線の接続解除作業＞
次に、図１８を参照して配線の接続解除作業について説明する。配線の接続解除作業については、断線等による配線の接続不良を解消することを目的として行われるメンテナンスに係るものと、パチンコ機１０の配置変更や機種変更に伴う入替に係るものとが存在する。以下の説明では、先ず図１８（ａ），（ｂ）を参照して前者について説明し、その後、図１８（ｃ），（ｄ）を参照して後者について説明する。図１８は配線の接続解除作業の一部を示す概略図である。
【０１４６】
ホールコンピュータにてパチンコ機１０からの信号を上手く受信できない場合には、パチンコ機１０又はホールコンピュータに生じている不具合がその要因になっているパターンと、劣化や過負荷による配線の不具合が要因になっているパターンとが存在する。そこで、このような通信障害が発生している場合には、先ず配線の接続のやり直しが行われると想定される。
【０１４７】
このように、一部の配線のみが検査対象等となっている場合には、他の配線の接続状態を解除する必要はない。そこで、切替部材３９０をそのままに、カバー部材３７０を開状態に切り替える。カバー部材３７０による配線の保持力（係合力）は、接続機構３１５（レバー部材３３１，３３２）による配線の挟み込み力よりも小さく設定されている。このため、カバー部材３７０の回動に起因して配線が配線挿入口３２１，３２２から脱落することが回避される。同様に、カバー部材３７０の開状態への切り替えが配線の支え等によって妨げられることもない。
【０１４８】
カバー部材３７０を開状態に切り替えた後は、対象となっている配線用のレバー部材３３１，３３２について指掛け部３３３，３３４を操作することにより、接続を解除することができる。検査後に配線を再接続する際には、その配線に対応するレバー部材３３１，３３２だけを操作すれば足りるため、全ての配線について接続作業をやり直す必要がない。これにより、作業の効率化に貢献できる。
【０１４９】
一方、配置替え等によりパチンコ機１０を島設備から取り外す場合には、図１８（ｃ）に示すように、カバー部材３７０を閉じた状態にて切替部材３９０を回動操作し、接続機構３１５をアンロック状態に切り替える。これにより、配線の接続が解除される。次に、図１８（ｃ）→図１８（ｄ）に示すように、アンロック状態に維持したまま、カバー部材３７０を開状態に切り替えることにより、カバー部材３７０によって保持されている配線が一括して配線挿入口３２１，３２２から離脱する。その後、カバー部材３７０により保持されている配線を手前側へ引き寄せる等することで、カバー部材３７０から配線を取り外すことができ、パチンコ機１０の配置替え等の準備が完了することとなる。
【０１５０】
このように、一括で配線の接続を解除することが可能となることにより、作業効率を好適に向上させることができる。
【０１５１】
＜配線接続のやり直し作業＞
以上詳述した本実施の形態においては、カバー部材３７０によって複数の配線を集約し、切替部材３９０によって各接続端子３１２を一斉にロック状態及びアンロック状態に切り替える構成を採用することにより、配線の接続作業の簡略化を実現している。但し、上述した構成においては、カバー部材３７０への配線Ｈの取り付けが上手く行われていない場合に、一部の配線については上記誘導傾斜面３５４等による軌道修正の範囲をこえてしまう可能性がある。この場合には、接続が未完了の配線について接続作業をやり直す必要が生じる。そこで、以下、配線接続のやり直し作業について補足説明する。以下の説明では、適宜図１８（ａ），（ｂ）を参照する。
【０１５２】
一部の配線について接続作業が上手くいかなかった場合には、先ずカバー部材３７０を閉状態から開状態に切り替える。この際、スリット３８１については、カバー部材３７０の回動に伴って配線挿入口３２１，３２２と対峙する位置（上記直線ＩＬ）を横切るようにして移動する。そして、この回動方向とは逆側に向けてスリット３８１の上記隙間寸法が大きくなっているため、接続端子３１２への接続が完了している配線については、カバー部材３７０の回動に伴いスリット３８１内をスライドし、上記保持領域ＨＥから拡張領域ＴＥへ移ることとなる。つまり、接続完了済みの配線についてはカバー部材３７０による保持が解除されることとなる（例えば図１８（ａ）→図１８（ｂ）参照）。
【０１５３】
一方、接続が上手く行われなかった配線については、接続端子３１２による挟み込みが行われていないため、カバー部材３７０を回動させた場合には、この動きに追従して移動することとなる。この結果、接続済みの配線とそうでない配線とではカバー部材３７０との関係が相違し、どの配線の接続が上手く行われていないかを目視にて容易に把握することが容易となる。
【０１５４】
カバー部材３７０を開状態に切り替えた後は、非接続となっている配線を掴んでその先端部を直接配線挿入口３２１，３２２に挿入すればよい。この場合には、切替部材３９０を操作するのではなく、レバー部材３３１，３３２の指掛け部３３３，３３４を直接指等で押圧することにより、接続済みの配線の接続状態を維持しつつ、配線の再接続を行うことができる。
【０１５５】
以上詳述した本実施の形態によれば、以下の優れた効果が期待できる。
【０１５６】
外部端子板３１０（接続端子３１２）に配線を接続する場合には、先ずカバー部材３７０によって各接続端子３１２用の配線をそれぞれ保持した状態とすることで配線を集約し、その後、カバー部材３７０を開状態から閉状態に切り替えることにより、各配線の先端部分が接続端子の配線挿入口に案内されることとなる。このように、一括して、接続端子３１２へ配線を案内することにより、接続作業の効率化に貢献できる。
【０１５７】
また、複数の接続端子３１２を併用する場合には、先に配線の接続された接続端子が邪魔になって後続の接続作業がやりづらくなると懸念される。この点、カバー部材３７０を用いることにより、複数同時の接続作業が可能となるだけでなく、接続端子３１２とは離れた位置にて配線の仮保持作業を行うことができ、上述したような作業性の低下を好適に回避できる。このように、電気的な接続作業を容易とすることにより、例えば遊技機の設置や配置替え等の各種作業を行う際に、パチンコ機１０の設置作業等を効率よく行うことが可能となる。
【０１５８】
カバー部材３７０に配線を取り付ける際には、配線をカバー部材３７０の覆い部３７１に形成されたスリット３８１に差し込めばよく、配線の集約作業の容易化を実現している。特にスリット３８１は、カバー部材３７０の回動中心側とは反対側に開放されており、この開放部分（開放部３８２）を通じて配線の中間部分を押し込むことができる。係る構成によればに、スリット３８１に配線を挿入する際に、配線の先端部をスリット３８１の貫通方向に移動させる必要がない。故に、配線をカバー部材３７０に取り付ける際の作業が煩雑になることを抑制できる。
【０１５９】
また、仮に配線挿入口３２１，３２２に配線の先端部を直接差し込もうとした場合には、配線の先端部と配線挿入口３２１，３２２との位置関係及び挿入方向の両方に気を配る必要があり、更には挿入時には配線や作業者の手によって配線挿入口３２１，３２２が覆われることとなる。故に、そのような作業を繰り返すことは、作業者を疲弊させる要因となり、結果として設置作業等の効率が低下する。この点、上記構成では、配線を開放部３８２を通じてスリット３８１に横から挿入すれば足りるため、スリット３８１が配線や作業者の手によって覆われる等して視認性が低下することを抑制できる。つまり、カバー部材３７０の存在及び形状には、上記設置作業等の効率の更なる向上を実現できるという技術的意義がある。
【０１６０】
スリット３８１の挿入隙を奥壁部３８３側よりも開放部３８２側にて大きくしているため、スリット３８１に配線を取り付ける場合（係合させる場合）の作業性の向上に貢献できる。また、配線の大きさ（太さ）は遊技ホール毎に異なる可能性がある。保持領域ＨＥとそれよりも隙間の大きい拡張領域ＴＥを併用することで、このような多少の大きさの差を好適に許容することができる。
【０１６１】
カバー部材３７０を利用して配線の一括接続を可能とした場合には、カバー部材３７０への配線の取り付けが上手く行われていない場合に以下の不都合が生じ得る。すなわち、全ての配線を一括で接続させることができず、一部の配線については接続のやり直しを行う必要が生じ得る。この際、全ての配線の接続作業を一からやり直すのは非効率的であり、上記構成の技術的意義が上手く発揮されなくなる要因になる。この点、本実施の形態においては、カバー部材３７０による配線の保持力よりも、接続機構３１５による当該配線の挟み込み力の方が大きくなるように設定されているため、カバー部材３７０を閉状態から開状態に切り替える場合であっても、カバー部材３７０によって挟まれている（接続が完了している）配線については、カバー部材３７０の動きに追従して配線挿入口３２１，３２２（接続機構３１５）から脱落することを好適に抑制できる。これにより、例えば接続が上手くいかなかったものついてのみ接続作業のやり直しを行うことが許容されることとなる。このように、接続時では一括／解除時には個別の作業を可能とすることにより、上記不都合の発生を好適に抑制できる。
【０１６２】
カバー部材３７０については回動式となっており、当該カバー部材３７０の回動時にはスリット３８１が形成されている覆い部３７１に配線挿入口３２１，３２２の向き及びそれと直交する向きの二つの方向での移動成分が付与されることとなる。これにより、開閉体の挟み込み力の一部を利用して配線の位置をスリット３８１内で変化させることが容易となり、当該配線を開放部３８２側へ導くことが可能となっている。つまり、配線を引っ張る抵抗がより少なくなる側へ当該配線を誘導することができる。
【０１６３】
カバー部材３７０にて配線を保持する構成では、配線を引っ張るような外力が加わった場合に、当該外力に対する抗力がカバー部材３７０にて発生する。これにより、配線の脱落を好適に抑制することができる。特に、本実施の形態に示すレバー部材３３１，３３２のシャッタ部３３５，３３６については、シャッタ部３３５，３３６の閉位置への動きによって配線がスリット３８１の奥側（開放部３８２とは反対側）へ押されることとなるため、上記機能を好適に発揮させることができる。
【０１６４】
切替部材３９０によれば、複数のレバー部材３３１，３３２を一括して閉状態から開状態に切り替えることが可能となる。つまり、配線（接続端子）毎に開閉体を閉状態から開状態に切り替える必要がない。このように、配線を集約するカバー部材３７０とレバー部材３３１，３３２を一括して操作できる切替部材とを併用することで、配線の接続作業の効率を飛躍的に向上させることができる。
【０１６５】
また、複数のレバー部材３３１，３３２を１の切替部材３９０によって操作する場合には、解除操作に必要な操作力が大きくなる。これは解除操作を困難にする要因となり得る。ここで、レバー部材３３１，３３２は回動中心から離れた位置に指掛け部３３３，３３４が形成されており、それら指掛け部３３３，３３４を操作することで必要操作力が小さくなるように工夫されている。そこで、切替部材３９０による具体的な操作対象を指掛け部３３３，３３４とすることにより、解除操作に必要な操作力が大きくなることを抑制できる。
【０１６６】
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【０１６７】
（１）上記実施の形態では、カバー部材３７０の覆い部３７１に形成された「貫通部」としてのスリット３８１に配線が係合することにより、カバー部材３７０によって配線が保持される構成としたが、少なくとも配線の保持機能が発揮されるのであれば、「貫通部」の具体的な保持態様及び保持構造については任意に変更してよい。以下、図１９（ａ），（ｂ）を参照して他の「貫通部」について例示する。
【０１６８】
例えば、上記実施の形態に示したようにスリット３８１の内部領域を拡張領域ＴＥと保持領域ＨＥとに分ける必要は必ずしもなく、図１９（ａ）の概略図に示すように、スリット３８１Ａにおける側壁の間隔寸法ＬＡが、奥壁３８３Ａに向けて連続的に小さくなる構成とすることも可能である。配線Ｈの直径寸法ＤＡについては遊技ホールの島設備毎にばらつきが存在し得る（例えば直径寸法ＤＡ１である配線Ｈ１及び直径寸法ＤＡ２である配線Ｈ２参照）。この点、本変形例に示す構成によれば、開放部３８２Ａを通じて挿入された配線Ｈ１，Ｈ２はスリット３８１Ａの奥行き方向におけるいずれかの位置にて停止することとなり、様々なサイズの配線へ適用することが可能となる。但し、このような変更を行った場合には配線の保持位置がばらつきやすくなるため、併せて配線を接続端子３１２の配線挿入口３２１，３２２へ誘導するガイド機能を強化することが好ましい。
【０１６９】
また、上記実施の形態においては、スリット３８１の開放部３８２の幅寸法Ｌ１を配線Ｈの直径寸法Ｄよりも大きくすることにより、当該スリット３８１への配線の挿入作業が難しくなることを回避したが、配線Ｈの位置ばらつきの軽減や脱落防止に鑑みた場合には、「貫通部」を以下の構成とすることも可能である。すなわち、図１９（ｂ）に示すように、開放部３８２Ｂの幅寸法Ｌ２Ｂを配線の直径寸法ＤＢよりも小さくしてもよい。これにより、開放部３８２Ｂを通じて押し込まれた配線Ｈは当該開放部３８２Ｂに引っ掛かることとなり、脱落が規制されることとなる。この場合、「貫通部」をスリット（長孔）とする必要はなく、配線Ｈの外形に合わせて変更することも可能である。つまり、図１９（ｂ）に示すように配線用の貫通孔３８１Ｂを略丸孔とし、その内径寸法Ｌ１Ｂを配線Ｈの直径寸法ＤＢと同一又は略同一となるように構成してもよい。これにより、配線の保持位置のばらつきが好適に抑制される。
【０１７０】
（２）上記実施の形態では、カバー部材３７０の回転中心を中心とし配線挿入口３２１，３２２を通過する仮想円の当該配線挿入口３２１，３２２での接線方向と、それら配線挿入口３２１，３２２の向きとを揃えることにより、カバー部材３７０によって保持された配線Ｈの先端部分が当該カバー部材３７０の回動によって配線挿入口３２１，３２２へ移動する構成としたが、配線保持機能が付与されたカバー部材３７０を回動式する必要は必ずしもなく、スライド式とすることも可能である。
【０１７１】
具体的には、図１９（ｃ）の概略図に示すように、カバー部材３７０Ｃを配線挿入口３２１，３２２の向き（上記直線ＩＬと同じ方向）にスライド移動可能とし、当該カバー部材３７０Ｃを配線挿入口３２１，３２２に近づけるようにして移動させることにより、配線Ｈの先端部が配線挿入口３２１，３２２に到達する構成とすることも可能である。但し、係る構成では、上述したように配線Ｈの接続を一部やり直す必要が生じた場合に、カバー部材３７０Ｃのスライド移動に伴う配線Ｈ及びスリット３８１Ｃの係合力の減少が期待できるわけではなく、係合力がカバー部材３７０Ｃの移動を妨げる要因になりやすい。故に、望ましくは上記実施の形態に示したように、カバー部材３７０の動作に伴って上記接線と交差する方向へスリット３８１をずらす（シフトさせる）構成とするとよい。
【０１７２】
（３）上記実施の形態に示した切替部材３９０がアンロック状態に切り替えられた場合に、当該切替部材３９０を同アンロック状態に維持する維持手段を設けることで、更なる作業性の向上が期待できる。係る構成を採用すれば、作業者は一方の手で切替部材３９０をアンロック状態に維持したまま他方の手でカバー部材３７０の閉操作を行う必要がなくなる。つまり、配線の接続作業にて両手を同時並列的に使用する必要がなくなる。
【０１７３】
例えば、カバー部材３７０の開放、切替部材３９０のロック状態からアンロック状態への切り替えを全て片手で行うことができるため、空いた手を配線の向きの調整等に使用できる。この結果、配線接続作業のやり直しが発生する機会を減らすことが可能なり、更なる作業効率の向上に貢献できる。
【０１７４】
（４）上記実施の形態では、カバー部材３７０及び切替部材３９０が独立して動作する構成（非連動）としたが、これを変更し、カバー部材３７０及び切替部材３９０が連動する構成としてもよい。具体的には、切替部材３９０がカバー部材３７０に連動して、ロック状態及びアンロック状態に切り替るリンク機構を採用してもよい。
【０１７５】
リンク機構の詳細な構成については任意であるが、カバー部材３７０が開位置から閉位置に移動する場合に、当該カバー部材３７０が閉位置に到達する前に切替部材３９０がロック状態からアンロック状態に切り替り、その後、カバー部材３７０が閉位置に到達した際又はその後に切替部材３９０がアンロック状態からロック状態に切り替る構成であればよい。
【０１７６】
（５）上記実施の形態では、スリット３８１に挿入された配線Ｈを奥壁部３８３及び左右の側壁部の３箇所で係合させることにより、配線Ｈの向きのばらつきを抑える構成とした。ここで、例えば、図１９（ｄ）の概略図に示すように、奥壁部３８３Ｄと一連となるようにして覆い部３７１Ｄの上面（接続端子３１２とは反対側を向いている面）から起立するガイド壁３８４Ｄを形成することにより、配線Ｈをガイド壁３８４Ｄに沿うように配置することが可能となる。このように配置することで、配線Ｈの曲がり等を抑制し、上述した配線の向きのばらつきを一層好適に抑制できる。
【０１７７】
（６）上記実施の形態では、カバー部材３７０に配線の保持機能を付与したが、少なくとも外部端子板３１０の配設対象と同じ対象（ホルダ部材３５０）に配設された可動部材に配線Ｈを保持する保持機能が付与されていば足り、必ずしも接続端子３１２を覆う機能を必須とするものではない。
【０１７８】
（７）上記実施の形態では、切替部材３９０の操作に基づいて当該切替部材３９０の各当接部３９３，３９４がレバー部材３３１，３３２の指掛け部３３３，３３４を押すことにより、各レバー部材３３１，３３２をまとめてアンロック状態に切り替える構成としたが、少なくともアンロック状態への一括切替が可能であればその具体的構成については任意である。つまり、切替部材３９０を操作した際の操作力が伝わる対象を指掛け部３３３，３３４以外の部位とすることも可能である。
【０１７９】
但し、複数（多数）のレバー部材をまとめてアンロック状態に切り替えようとすれば、当該切替操作時に必要となる操作力が大きくなる。例えば複数のギア等を介在させることで、ギア比を調整してそのような操作力の増大を抑えることは可能であるが、利便性の向上に起因して構造がより複雑になる。そもそもレバー部材３３１，３３２が回動式であり、回動中心部分から離れた部分を指掛け部３３３，３３４としている場合には、当該指掛け部３３３，３３４を操作することにより小さな操作力でレバー部材３３１，３３２を動作させることができる。この点、上述した当接部３９３，３９４を用いて、それら実用上の工夫を利用する構成とすれば、上述したような各種不都合が好適に解消される。
【０１８０】
（８）上記実施の形態では、複数の接続端子３１２を外部端子板３１０の長手方向に並べて配置したが、これに限定されるものではない。但し、カバー部材３７０の回動に基づいて配線の先端部が接続端子３１２に向けて移動する構成においては、カバー部材３７０の回動中心軸線からカバー部材３７０（詳しくは配線挿入口３２１，３２２）までの距離を統一することが好ましい。つまり、接続端子３１２については回動中心軸線と同じ方向に並べて配置することが好ましい。
【０１８１】
なお、カバー部材３７０の回動中心軸線と交差する方向に接続端子を並べて配置する場合には、回動中心軸線からの距離に応じて実質的な配線の移動量や向きの変化量が異なることとなる。故に、これら各種事情を配慮して、配線の向きや保持位置を相違させる必要が生じる。このような、差違の設定を作業者に委ねることになれば、作業が難しくなり、カバー部材３７０による配線の一括接続機能が上手く活用されなくなると懸念される。故に、特段の事情がない限りは敢えて上記実施の形態に示した接続端子３１２の配列と異なる配列を採用する必要がない。
【０１８２】
（９）上記実施の形態では、配線挿入口３２１，３２２へ配線の先端部を誘導する機能をホルダ部材３５０（棒状部３５３）の誘導傾斜面３５４によって実現したが、これを以下のように変更してもよい。すなわち、上記棒状部３５３に相当する構成をある程度の厚みが確保された平板状とするとともに、配線挿入口３２１，３２２と対峙する部分に当該配線挿入口３２１，３２２に向けて内径が小さくなるように形成されたテーパ面を形成する。同テーパ面に当った配線の先端部がカバー部材３７０の閉位置へ向けた回動に伴いテーパ面に沿って配線挿入口３２１，３２２に向かう構成とすることで、当該テーパ面を誘導傾斜面として機能させることができる。これより、カバー部材３７０の回動中心軸線方向への配線の傾倒等への対応幅が拡がり、更なる誘導機能の強化を図ることができる。
【０１８３】
（１０）上記実施の形態では、切替部材３９０をアンロック状態からロック状態に切り替える際にシャッタ部３３５，３３６が移動する方向と、カバー部材３７０のスリット３８１の奥行き方向とを揃えることにより、切替部材３９０がアンロック状態からロック状態に切り替る際に、配線がスリット３８１の奥壁部３８３側へ押圧される構成としたが、この関係を逆にしてもよい。すなわち、切替部材３９０をアンロック状態からロック状態に切り替える際にシャッタ部３３５，３３６が移動する方向と、カバー部材３７０のスリット３８１の奥行き方向とを逆にしてもよい。以下、当該変形例の具体的構成について、図２０の概略図を参照して説明する。
【０１８４】
切替部材３９０がアンロック状態となっている状況下にてカバー部材３７０が閉位置に配置されると、配線の先端部が配線挿入口３２１，３２２に挿入される。配線挿入口３２１，３２２はスリット３８１の長手方向と同じ方向に拡張されており、配線挿入口３２１，３２２内での配線の移動が許容されている。配線が挿入された後に、切替部材３９０をロック状態とすることにより、シャッタ部３３５，３３６によって配線がスリット３８１の開放部３８２側へと押される。この際、配線挿入口３２１，３２２の大きさは、スリット３８１の保持領域ＨＥから非保持領域ＩＥへ配線が移動可能となるように設定されている。つまり、切替部材３９０をアンロック状態からロック状態に切り替えて、配線の接続を終えることにより、カバー部材３７０による配線の保持状態が解除されることとなる。故に、仮に一部の配線の接続をやり直す必要が生じた場合には、接続済みの配線によってカバー部材３７０の開位置への移動が妨げられることがなく、更には、接続が完了していない配線はカバー部材３７０に追従して接続端子３１２から離れることにより、どの配線の接続をやり直す必要があるかを容易に確認することが可能となる。
【０１８５】
（１１）カバー部材３７０が閉位置に配置されている場合には、切替部材３９０のアンロック状態への切替操作が規制される構成とすることも可能である。例えば、カバー部材３７０が閉位置に配置された状態においては、切替部材３９０がロック状態からアンロック状態に切り替る際に通過する軌道上にカバー部材３７０に形成されたストッパが位置し、当該ストッパに切替部材３９０が当接することにより同切替部材３９０の動きが規制される構成とするとよい。
【０１８６】
（１２）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０１８７】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０１８８】
更に、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０１８９】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１９０】
以下の特徴群は、「パチンコ機等の遊技機は、例えば遊技ホール等の島設備に設置された状態にて遊技ホールの管理コンピュータ（所謂、ホールコンピュータ）と電気的に接続可能に構成されている。例えば、当否抽選にて当り結果となった場合や、各種遊技機器等にて何らかの異常が発生した場合には、その旨を示す信号が遊技機から管理コンピュータに出力される。管理コンピュータでは、遊技機から受信した信号に基づいて上記各種事象が発生した旨を把握することができる（例えば特許文献１参照）。この種の通信機能を実現する上で、遊技機には信号の種類毎に出力端子が設けられた基板（所謂、外部端子板）が搭載されている。これら各出力端子に、島設備に設けられた配線を接続することにより、上記信号の伝達経路が形成されることとなる。」という背景技術について、「近年では、従来の遊技機と比較して接続端子の数すなわち出力される信号の種類が増加傾向にある。このような事情から、各配線をそれに対応する接続端子にそれぞれ接続しようとした場合の手間についても嵩む傾向にある。これは、遊技機の設置（例えば入替）／配置替え等の各種作業を行う上で作業負荷を増大させる要因となり得る。特に、遊技機の設置台数の多い大型の遊技ホールや遊技機の入れ替え等を頻繁に行う遊技ホールでは、上記不都合が顕著になりやすい。」という発明が解決しようとする課題をもってなされたものである。
【０１９１】
特徴１．配線（配線Ｈ）用の接続端子（接続端子３１２）が複数設けられた基板（外部端子板３１０）と、
前記基板を保持する基板ホルダ（ホルダ部材３５０）と、
第１状態及び当該第１状態よりも前記接続端子に近い第２状態に切替可能な状態で、前記基板ホルダに取り付けられている可動体（カバー部材３７０）と
を有する基板ユニット（外部端子板ユニット３００）を備え、
前記各接続端子は、前記配線が挿入される配線挿入口（配線挿入口３２１，３２２）をそれぞれ有し、
前記可動体には、前記各配線を個別に保持可能な保持部（覆い部３７１のスリット３８１）が前記各配線挿入口に対応させて複数設けられ、当該可動体は前記保持部により各配線を保持した状態のまま前記第１状態から前記第２状態に切替可能となっており、
前記基板ユニットは、前記可動体の前記第１状態から前記第２状態への切替操作に基づいて、前記保持部により保持されている配線の先端部分が前記配線挿入口へ案内されるように構成されていることを特徴とする遊技機。
【０１９２】
特徴１によれば、基板（接続端子）に配線を接続する場合には、先ず可動体の保持部によって各接続端子用の配線をそれぞれ保持した状態とすることで配線を集約し、その後、可動体を第１状態から第２状態に切り替えることにより、各配線の先端部分が接続端子の配線挿入口に案内されることとなる。このように、一括して、接続端子へ配線を案内することにより、接続作業の効率化に貢献できる。
【０１９３】
また、複数の接続端子を併用する場合には、先に接続された接続端子が邪魔になって後続の接続作業がやりづらくなると懸念される。この点、可動体を用いることにより、複数同時の接続作業が可能となるだけでなく、接続端子とは離れた位置にて配線の仮保持作業を行うことができ、上述したような作業性の低下を好適に回避できる。例えば、遊技機の設置や配置替え等の各種作業を行う際には、遊技ホール等の管理コンピュータと遊技機とを配線を用いて電気的に接続する必要が生じる。本特徴に示す構成によれば電気配線の接続を容易として、当該設置作業等を効率よく行うことが可能となる。
【０１９４】
なお、「接続端子が複数並べて設けられている構成」又は「接続端子が所定の配列で複数設けられている構成」に本特徴に示す技術的思想を適用することにより、コネクタを適用することができない又は困難な事情がある遊技機においても実用上好ましい構成を実現できる。
【０１９５】
特徴２．前記保持部は、前記接続端子において前記配線挿入口が開口する側に対峙する板状部（覆い部３７１）と、前記板状部の厚さ方向に貫通し、前記第２状態となっている場合に当該板状部において前記配線挿入口の延長上に位置する部分及び当該板状部の周縁に跨るように形成された貫通部（スリット３８１）とを有し、前記貫通部に挿入された配線と係合することにより当該配線を保持する構成となっており、
前記板状部の周縁に形成された前記保持部の開放部分は、当該開放部分を通じた前記貫通部への前記配線の挿入を許容していることを特徴とする特徴１に記載の遊技機。
【０１９６】
特徴２によれば、貫通部の開放部分を通じて配線を押し込むことにより、配線と板状部（貫通部の内周面）とが係合して可動体により配線が保持された状態となる。これにより、可動体への配線の取り付け作業が難しくなることを好適に抑制できる。
【０１９７】
また、仮に配線挿入口に配線を直接差し込もうとした場合には、配線の先端と配線挿入口との位置関係及び挿入方向の両方に気を配る必要があり、更には挿入時には配線や作業者の手によって配線挿入口が覆われることとなる。故に、そのような作業を繰り返すことは、作業者を疲弊させる要因となり、結果として設置作業等の効率が低下する。この点、本特徴に示す構成では、配線を開放部分を通じて貫通孔に横から挿入すれば足りるため、貫通孔が配線や作業者の手によって覆われる等して視認性が低下することを抑制できる。すなわち、可動体の存在及び保持部の形状の工夫によって、上記設置作業等の効率の更なる向上が期待できる。
【０１９８】
特徴３．前記貫通部は、前記開放部分よりも奥側の方が前記配線の挿入隙が狭くなるように形成されていることを特徴とする特徴２に記載の遊技機。
【０１９９】
貫通部の挿入隙を開放部分側にて大きくしておくことにより、貫通部に配線を取り付ける場合（係合させる場合）の作業性の向上に貢献できる。
【０２００】
また、配線は遊技ホール毎に区々であるため多少の大きさの差が存在し得る。この点、挿入隙を奥側にて小さくなるように設定しておくことにより、このような多少の個体差を好適に許容することができる。
【０２０１】
特徴４．前記配線挿入口を開閉させる開閉体（レバー部材３３１，３３２のシャッタ部３３５，３３６）を備え、前記開閉体が開状態から閉状態となることにより、前記配線挿入口に挿入されている配線が当該前記開閉体により挟まれて接続端子に接続された状態となることを特徴とする特徴１乃至特徴３のいずれか１つに記載の遊技機。
【０２０２】
特徴４によれば、配線挿入口へと案内された配線が開閉体によって挟まれることにより、配線と基板とが電気的に接続された状態となる。
【０２０３】
特徴５．前記基板ユニットは、前記配線が接続されている状況下にて前記可動体を前記第２状態から前記第１状態に切り替えた場合に、前記配線の接続状態が維持されるように構成されていることを特徴とする特徴４に記載の遊技機。
【０２０４】
特徴１等に示した構成においては、作業ミス等によって保持部への配線の取り付けが上手くなされていないまま可動体が第１状態から第２状態となるように操作されることで、以下の不都合が生じる可能性がある。すなわち、全ての配線を一括で接続させることができず、一部の配線については接続のやり直しを行う必要が生じ得る。この際、全ての配線の接続作業を一からやり直すのは非効率的であり、特徴１に示した技術的意義が上手く発揮されなくなる要因になる。
【０２０５】
この点、可動体を第２状態から第１状態に切り替えた場合には、接続状態となっている配線についてはその状態が維持される構成とすることにより、接続が上手くいかなかったものについてのみ接続作業のやり直しを行うことが許容されることとなる。このように、接続時では一括／解除時には個別の作業を可能とすることにより、上記不都合の発生を好適に抑制できる。
【０２０６】
特徴６．前記基板ユニットは、前記保持部にて発生する前記配線の保持力よりも、前記開閉体による当該配線の挟み込み力の方が大きくなるように構成されていることを特徴とする特徴４又は特徴５に記載の遊技機。
【０２０７】
特徴１等に示した構成においては、作業ミス等によって保持部への配線の取り付けが上手くなされていないまま可動体が第１状態から第２状態となるように操作されることで、以下の不都合が生じる可能性がある。すなわち、全ての配線を一括で接続させることができず、一部の配線については接続のやり直しを行う必要が生じ得る。この際、全ての配線の接続作業を一からやり直すのは非効率的であり、特徴１に示した技術的意義が上手く発揮されなくなる要因になる。
【０２０８】
この点、本特徴によれば、配線を接続した状態で可動体を第２状態から第１状態に切り替えた場合であっても、開閉体によって挟まれている（接続が完了している）配線については、そのままの状態で維持される。つまり、可動体の動きに追従して配線が配線挿入口（接続部）から脱落することを好適に抑制できる。これにより、例えば接続が上手くいかなかったものについてのみ接続作業のやり直しを行うことが許容されることとなる。このように、接続時では一括／解除時には個別の作業を可能とすることにより、上記不都合の発生を好適に抑制できる。
【０２０９】
特徴７．前記保持部は、前記接続端子において前記配線挿入口が開口する側に対峙する板状部（覆い部３７１）と、前記板状部の厚さ方向に貫通し、前記第２状態となっている場合に当該板状部において前記配線挿入口の延長上に位置する部分及び当該板状部の周縁に跨るように形成された貫通部（スリット３８１）と有し、前記貫通部に挿入された配線と係合することにより当該配線を保持する構成となっており、
前記板状部の周縁に形成された前記保持部の開放部分は、当該開放部分を通じた前記貫通部への前記配線の挿入を許容しており、
前記可動体は、前記基板ホルダによって回動可能に保持され、その保持部分を基端として回動することにより前記第１状態及び前記第２状態に切り替る構成となっており、
前記開放部分は前記第２状態から前記第１状態へ切り替える際の回動方向とは反対方向を向いていることを特徴とする特徴４乃至特徴６のいずれか１つに記載の遊技機。
【０２１０】
特徴７によれば、可動体を第２状態から第１状態に切り替える場合に、可動体によって配線が引っ張られることを抑制し、既に接続状態となっている配線の脱落を好適に回避できる。
【０２１１】
ここで、特徴３との組合せによれば、以下の効果が期待できる。可動体を回動式とすることにより、板状部（貫通部）が配線挿入口の向き及びそれと直交する向きの二つの方向での移動成分が付与されることとなる。これにより、開閉体の挟み込み力の一部を利用して配線の位置を貫通部内で変化させることが容易となり、当該配線を開放部分側へ導くことが可能となる。つまり、配線を引っ張る抵抗がより少なくなる側へ当該配線を誘導することができる。
【０２１２】
特徴８．前記開閉体が開状態から閉状態となる場合の移動方向と、前記可動体が前記第１状態から前記第２状態に切り替る場合の前記貫通部の移動方向とが逆方向となるように構成されていることを特徴とする特徴４乃至特徴７のいずれか１つに記載の遊技機。
【０２１３】
可動体にて配線を保持する構成では、配線を引っ張るような外力が加わった場合であっても、可動体に当該外力に対する抗力が発生することとなる。これにより、配線の脱落を好適に抑制することができる。このような機能に配慮した場合には、開閉体によって配線を挟み込む際に、当該開閉体に押されて配線が位置ずれすることで、配線が貫通部から抜けたり、貫通部内に留まりつつも保持力が弱まったりることは好ましくない。この点、本特徴に示す構成によれば、開閉体の動作によって配線がスリットの奥側（開放端とは反対側）へ押されることとなるため、上記不都合の発生を好適に抑制できる。
【０２１４】
特徴９．所定の解除操作に基づいて、各開閉体をまとめて開状態に切り替える切替手段（切替部材３９０）を備えていることを特徴とする特徴４乃至特徴８のいずれか１つに記載の遊技機。
【０２１５】
特徴９によれば、複数の開閉体を一括して閉状態から開状態に切り替えることが可能となる。つまり、配線（接続端子）毎に開閉体を閉状態から開状態に切り替える必要がない。これにより、特徴１に示した効果を一層好適に発揮させることができる。
【０２１６】
特徴１０．前記開閉体を開状態から閉状態に切り替える指掛け操作部（指掛け部３３３，３３４）が各開閉体に１対１で対応させて設けられており、
前記切替手段は、前記各指掛け操作部を押圧する押圧部を有し、当該押圧部がそれら指掛け操作部を押圧することにより各開閉体をまとめて開状態に切り替える構成となっており、
前記所定の解除操作が行われていない状態においては、前記指掛け操作部の一部が押圧部から露出しており、この露出している部分を操作することにより、操作対象となった指掛け操作部に対応する前記開閉体を閉状態から開状態に切り替えることが許容されていることを特徴とする特徴９に記載の遊技機。
【０２１７】
既に説明したように、配線の接続を一括して行う場合には、漏れが生じる可能性がある。本特徴によれば、このような場合に、上手く接続できたものはそのままにしつつ、一部の接続が上手くいかなかったものについては対応する指掛け操作部を手動操作して、接続作業を個別にやり直すことができる。
【０２１８】
また、複数の開閉体を１の切替手段によって操作する場合には、解除操作に必要な操作力が大きくなる。これは解除操作を困難にする要因となり得る。ここで、指掛け操作部を有する場合には、操作性に鑑みて必要操作力が小さくなるように設定されると想定される。そこで、切替手段による具体的な操作対象を指掛け操作部とすることにより、解除操作に必要な操作力が大きくなることを抑制できる。
【０２１９】
特徴１１．前記可動体には、当該可動体が前記第２状態となっている場合に、前記切替手段の解除操作に基づく前記開閉体の前記開状態への切り替えを阻止する阻止部が設けられていることを特徴とする特徴９又は特徴１０に記載の遊技機。
【０２２０】
特徴１１によれば、配線の接続が完了し且つ可動体が第２状態となっている場合には切替手段の動きが制限されることとなる。これにより、切替手段の誤操作によって配線の接続が解除されることを好適に抑制できる。
【０２２１】
以下に、以上の各特徴を適用し得る遊技機の基本構成を示す。
【０２２２】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（誘導レール１００）と、遊技領域内に配置された各遊技部品（釘９０等）とを備え、それら各遊技部品のうち所定の通過部（一般入賞口８１等）を遊技球が通過した場合に遊技者に特典を付与する遊技機。
【０２２３】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【０２２４】
球使用回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０２２５】
１０…遊技機としてのパチンコ機、１５…裏パックユニット、２０１…裏パック、２１１ａ…搭載面部、３００…外部端子板ユニット、３１０…外部端子板、３１０ａ…搭載面、３１１…中継コネクタ、３１２…接続端子、３２１，３２２…配線挿入口、３２５，３２６…配線受け部、３３１，３３２…レバー部材、３３３，３３４…指掛け部、３３５，３３６…シャッタ部、３５０…ホルダ部材、３５４…案内傾斜面、３７０…カバー部材、３７１…板状部としての覆い部、３８１…貫通部としてのスリット、３８２…開放部、３８３…奥壁部、３９０…切替部材、３９３，３９４…当接部、ＴＥ…拡張領域、ＨＥ…保持領域。
【図１】
2015033466.tif 000003
【図２】
2015033466.tif 000004
【図３】
2015033466.tif 000005
【図４】
2015033466.tif 000006
【図５】
2015033466.tif 000007
【図６】
2015033466.tif 000008
【図７】
2015033466.tif 000009
【図８】
2015033466.tif 000010
【図９】
2015033466.tif 000011
【図１０】
2015033466.tif 000012
【図１１】
2015033466.tif 000013
【図１２】
2015033466.tif 000014
【図１３】
2015033466.tif 000015
【図１４】
2015033466.tif 000016
【図１５】
2015033466.tif 000017
【図１６】
2015033466.tif 000018
【図１７】
2015033466.tif 000019
【図１８】
2015033466.tif 000020
【図１９】
2015033466.tif 000021
【図２０】
2015033466.tif 000022